(57)【特許請求の範囲】
【請求項１】
無線通信装置による、非ライセンス無線周波数帯域における無線周波数チャネルの使用を管理する方法であって、
前記無線通信装置が、
ライセンスされた無線周波数帯域と前記非ライセンス無線周波数帯域との間の前記無線通信装置のモビリティのための１つ以上のアクセスネットワーク発見及び選択機能（ＡＮＤＳＦ）ポリシを取得し、
前記ライセンスされた無線周波数帯域における無線周波数チャネル及び前記非ライセンス無線周波数帯域における無線周波数チャネルとの間でトラフィックをオフロードするための１つ以上のＡＮＤＳＦポリシを取得し、
前記非ライセンス無線周波数帯域における少なくとも１つの無線周波数チャネルに対する無線周波数干渉レベルを監視し、
前記非ライセンス無線周波数帯域における前記少なくとも１つの無線周波数チャネルに対する負荷情報を取得し、
前記無線周波数干渉レベルと前記負荷情報とが、前記トラフィックをオフロードするための１つ以上のＡＮＤＳＦポリシに従ってオフロードするのに前記非ライセンス無線周波数帯域における少なくとも１つの無線周波数チャネルを利用可能であることを示す場合に、前記ライセンスされた無線周波数帯域における無線周波数チャネルから前記非ライセンス無線周波数帯域における前記少なくとも１つの無線周波数チャネルへ、データ通信トラフィックの少なくとも一部を転送し、
前記ＡＮＤＳＦポリシは、少なくとも、前記非ライセンス無線周波数帯域における管理されたＷＬＡＮ通信に利用可能な無線ローカルエリアネットワーク（ＷＬＡＮ）周波数チャネルの第１のリストと、非ライセンスＬＴＥ（ＬＴＥ−Ｕ）通信に利用可能な前記非ライセンス無線周波数帯域における無線周波数チャネルの第２のリストとを含む、
ことを含むことを特徴とする方法。
【請求項２】
さらに、前記無線通信装置が、
前記非ライセンス無線周波数帯域における前記少なくとも１つの無線周波数チャネルに対する前記無線周波数干渉レベルを、無線ネットワークのエンハンスドＮｏｄｅＢへ提供し、
前記ライセンスされた無線周波数帯域における前記無線周波数チャネルから前記非ライセンス無線周波数帯域における前記少なくとも１つの無線周波数チャネルへ、データトラフィックの前記一部をオフロードするための制御メッセージを、前記無線ネットワークの前記エンハンスドＮｏｄｅＢから受信する、
ことを含むことを特徴とする請求項１に記載の方法。
【請求項３】
前記無線通信装置は、少なくとも、ロングタームエボリューション（ＬＴＥ）又はロングタームエボリューションアドバンスド（ＬＴＥ−Ａ）無線通信プロトコルに従って動作するように構成されるセルラ無線サブシステムを含む、
ことを特徴とする請求項１に記載の方法。
【請求項４】
前記無線通信装置は、少なくとも、Ｗｉ−Ｆｉ無線通信プロトコルに従って動作するように構成される無線ローカルエリアネットワークサブシステムを含む、
ことを特徴とする請求項３に記載の方法。
【請求項５】
前記無線周波数干渉レベルは、１つ以上の非セルラ無線通信装置からの無線周波数干渉の測定されたレベルが干渉閾値レベルより低い場合に、前記非ライセンス無線周波数帯域における前記少なくとも１つの無線周波数チャネルがオフロードに利用可能であることを示す、
ことを特徴とする請求項１に記載の方法。
【請求項６】
前記負荷情報は、前記非ライセンス無線周波数帯域における前記少なくとも１つの無線周波数チャネルに対する負荷レベルが負荷閾値レベルより低い場合に、前記非ライセンス無線周波数帯域における前記少なくとも１つの無線周波数チャネルがオフロードに利用可能であることを示す、
ことを特徴とする請求項１に記載の方法。
【請求項７】
前記ＡＮＤＳＦポリシは、無線ネットワークのエンハンスドＮｏｄｅＢによって、無線リソース制御（ＲＲＣ）シグナリングメッセージを用いて伝えられる、
ことを特徴とする請求項１に記載の方法。
【請求項８】
前記ＡＮＤＳＦポリシは、無線ネットワークのエンハンスドＮｏｄｅＢによって、システム情報ブロック（ＳＩＢ）メッセージを用いて伝えられる、
ことを特徴とする請求項１に記載の方法。
【請求項９】
前記ＡＮＤＳＦポリシは、無線周波数チャネルの前記第１のリスト及び前記第２のリストにおいて特定された１つ以上の無線周波数チャネルに対する、無線周波数干渉レベルについての情報を含む、
ことを特徴とする請求項１に記載の方法。
【請求項１０】
無線通信装置であって、
セルラ無線サブシステムと、
無線ローカルエリアネットワーク（ＷＬＡＮ）無線サブシステムと、
前記セルラ無線サブシステム及び前記ＷＬＡＮ無線サブシステムに通信可能に接続された処理回路と、を有し、
前記処理回路は、前記無線通信装置に、
ライセンスされた無線周波数帯域における無線周波数チャネルと非ライセンス無線周波数帯域における無線周波数チャネルとの間でトラフィックをオフロードするための１つ以上のＡＮＤＳＦポリシを取得させ、
前記非ライセンス無線周波数帯域における無線周波数チャネルに対する無線周波数干渉レベルを監視させ、
前記非ライセンス無線周波数帯域における前記無線周波数チャネルに対する負荷情報を取得させ、
前記無線周波数干渉レベルと前記負荷情報とが、前記トラフィックをオフロードするための１つ以上のＡＮＤＳＦポリシに従ってオフロードするのに前記非ライセンス無線周波数帯域における前記無線周波数チャネルを利用可能であることを示す場合に、前記ライセンスされた無線周波数帯域における無線周波数チャネルから前記非ライセンス無線周波数帯域における前記無線周波数チャネルへ、データ通信トラフィックの少なくとも一部を転送させ、
前記ライセンスされた無線周波数帯域と前記非ライセンス無線周波数帯域との間での前記無線通信装置のモビリティのための１つ以上のＡＮＤＳＦポリシを取得させる、
ように構成され、
前記モビリティのための１つ以上のＡＮＤＳＦポリシは、少なくとも、前記非ライセンス無線周波数帯域における管理されたＷＬＡＮ通信に利用可能な無線ローカルエリアネットワーク（ＷＬＡＮ）周波数チャネルの第１のリストと非ライセンスＬＴＥ（ＬＴＥ−Ｕ）通信に利用可能な前記非ライセンス無線周波数帯域における無線周波数チャネルの第２のリストと、を含む、
ことを特徴とする無線通信装置。
【請求項１１】
前記処理回路は、前記無線通信装置に、
前記非ライセンス無線周波数帯域における前記無線周波数チャネルに対する前記無線周波数干渉レベルを、無線ネットワークのエンハンスドＮｏｄｅＢへ提供させ、
前記ライセンスされた無線周波数帯域における前記無線周波数チャネルから前記非ライセンス無線周波数帯域における前記無線周波数チャネルへ、データトラフィックの前記一部をオフロードするための制御メッセージを、前記無線ネットワークの前記エンハンスドＮｏｄｅＢから受信させる、
ようにさらに構成される、
ことを特徴とする請求項１０に記載の無線通信装置。
【請求項１２】
前記セルラ無線サブシステムは、ＬＴＥ又はＬＴＥ−Ａ無線通信プロトコルに従って動作し、前記ＷＬＡＮ無線サブシステムは、Ｗｉ−Ｆｉ無線通信プロトコルに従って動作する、
ことを特徴とする請求項１０に記載の無線通信装置。
【請求項１３】
前記無線周波数干渉レベルは、１つ以上の非セルラ無線通信装置からの無線周波数干渉の測定されたレベルが干渉閾値レベルより低い場合に、前記非ライセンス無線周波数帯域における前記無線周波数チャネルがオフロードに利用可能であることを示す、
ことを特徴とする請求項１０に記載の無線通信装置。
【請求項１４】
前記負荷情報は、前記非ライセンス無線周波数帯域における前記無線周波数チャネルに対する負荷レベルが負荷閾値レベルより低い場合に、前記非ライセンス無線周波数帯域における前記無線周波数チャネルがオフロードに利用可能であることを示す、
ことを特徴とする請求項１０に記載の無線通信装置。
【請求項１５】
前記トラフィックをオフロードするためのＡＮＤＳＦポリシは、無線ネットワークのエンハンスドＮｏｄｅＢによって、ＲＲＣシグナリングメッセージとＳＩＢメッセージとのうちの１つ以上を用いて伝えられる、
ことを特徴とする請求項１０に記載の無線通信装置。
【請求項１６】
前記処理回路は、前記無線通信装置に、無線周波数チャネルの前記第１のリスト及び前記第２のリストにおいて特定された１つ以上の無線周波数チャネルに対する、無線周波数干渉レベルについての情報を取得させるように、さらに構成される、
ことを特徴とする請求項１０に記載の無線通信装置。
【請求項１７】
無線通信装置の１つ以上のプロセッサによって実行されるときに、前記無線通信装置に、
ライセンスされた無線周波数帯域における無線周波数チャネルと非ライセンス無線周波数帯域における無線周波数チャネルとの間でトラフィックをオフロードするための１つ以上のＡＮＤＳＦポリシを取得させ、
前記非ライセンス無線周波数帯域における少なくとも１つの無線周波数チャネルに対する負荷情報及び無線周波数干渉レベルを取得させ、
前記無線周波数干渉レベルと前記負荷情報とが、前記トラフィックをオフロードするための１つ以上のＡＮＤＳＦポリシに従ってオフロードするのに前記非ライセンス無線周波数帯域における前記少なくとも１つの無線周波数チャネルを利用可能であることを示す場合に、前記ライセンスされた無線周波数帯域における無線周波数チャネルから前記非ライセンス無線周波数帯域における前記少なくとも１つの無線周波数チャネルへ、データ通信トラフィックの少なくとも一部を転送させ、
前記トラフィックをオフロードするための１つ以上のＡＮＤＳＦポリシは、前記非ライセンス無線周波数帯域における管理されたＷＬＡＮ通信に利用可能な無線ローカルエリアネットワーク（ＷＬＡＮ）周波数チャネルの第１のリストと、非ライセンスＬＴＥ（ＬＴＥ−Ｕ）通信に利用可能な前記非ライセンス無線周波数帯域における無線周波数チャネルの第２のリストとを含む、
ことを特徴とするコンピュータプログラム。
【請求項１８】
前記トラフィックをオフロードするための１つ以上のＡＮＤＳＦポリシは、さらに、無線周波数チャネルの前記第１のリスト及び前記第２のリストにおいて特定された１つ以上の無線周波数チャネルに対する、無線周波数干渉レベルについての情報を含む、
ことを特徴とする請求項１７に記載のコンピュータプログラム。
【発明の詳細な説明】
【技術分野】
【０００１】
説明される実施形態は一般に無線通信に関し、より具体的には、（１）ライセンスされた無線周波数帯域及び非ライセンス無線周波数帯域で動作する移動体無線装置のためのオフロード及び再選択のポリシ及びルールのための方法及び装置、（２）ライセンスされた無線周波数帯域及び非ライセンス無線周波数帯域の組み合わせにおいて動作する移動体無線装置のための時分割共存のための方法及び装置、並びに、（３）ライセンスされた無線周波数帯域及び非ライセンス無線周波数帯域の組み合わせにわたるキャリアアグリゲーションを用いる移動体無線装置のための一連の周波数チャネルの間での周波数ホッピングのための方法及び装置、に関する。
【背景技術】
【０００２】
第３世代パートナーシッププロジェクト（３ＧＰＰ）のロングタームエボリューション（ＬＴＥ）及びＬＴＥアドバンスド（ＬＴＥ−Ａ）標準を実装するより新しい無線アクセス技術のシステムを採用した、第４世代（４Ｇ）セルラネットワークが、米国及び海外で急速に開発されると共に展開されている。ＬＴＥ−Ａ標準は、先行するＬＴＥのバージョンでは可能ではないデータレートを累積的に達成するマルチキャリアシステムの帯域幅の要求を満たすことに備えるために、複数のコンポーネントキャリア（ＣＣ）のアグリゲーションのためのモードを含んでいる。無線通信装置は、１つの無線周波数帯域と複数の無線周波数帯域との少なくともいずれかにおいて複数のコンポーネントキャリアを用いて、無線周波数通信の送信と受信との少なくともいずれかを行うことができる設定可能な無線周波数（ＲＦ）回路を含みうる。無線ネットワークが動画トラフィック、ウェブブラウジングトラフィック及びインターネットを介して運ばれうる他のデータトラフィックなどのインターネットトラフィックの指数的な成長に直面しているため、より広い帯域幅、より広い無線周波数の範囲、及びより高いスループットデータレートに対応できる新しい無線通信プロトコルの開発が開始されている。セルラ無線ネットワークを介した通信に対するコストとトラフィックとの少なくともいずれかの限界を考えると、ユーザは、可能であれば、「無料の」無線ローカルエリアネットワーク（ＷＬＡＮ）、加入に基づくＷＬＡＮ、又は通信事業者が提供するＷＬＡＮの少なくともいずれかを介して通信することを好みうる。ＷＬＡＮが一般的に動作する非ライセンス無線周波数帯域では、現在のところセルラ無線通信装置は動作していないが、現在ＷＬＡＮによって占められている非ライセンス無線周波数帯域内の無線周波数チャネルを用いることにより、セルラ通信のための帯域幅を追加しようとする標準化の取り組み及び調査が開始されている。具体的には、５ＧＨｚの無線周波数帯域が、キャリアアグリゲーションモードにおけるセカンダリキャリアＬＴＥ伝送を提供するための対象とされている。
【発明の概要】
【発明が解決しようとする課題】
【０００３】
このように、ライセンスされた無線周波数帯域、非ライセンス無線周波数帯域、及びライセンスされた無線周波数帯域並びに非ライセンス無線周波数帯域の両方の組み合わせにおいて動作する移動体無線装置に対するオフロード及び再選択のポリシ及びルールのための方法及び装置を提供する解決策の必要性が存在する。この点で、ライセンスされた無線周波数帯域に加えて非ライセンス無線周波数帯域において通信する能力を含むキャリアアグリゲーションを採用している無線通信装置による、セカンダリコンポーネントキャリアの使用を管理することは有益であろう。
【０００４】
さらに、ライセンスされた無線周波数帯域、非ライセンス無線周波数帯域、及びライセンスされた無線周波数帯域並びに非ライセンス無線周波数帯域の両方の組み合わせにおいて動作する移動体無線装置のための、無線周波数チャネルの時間に基づく共有のための方法及び装置を提供する解決策の必要性が存在する。この点で、ライセンスされた無線周波数帯域に加えて非ライセンス無線周波数帯域において通信する能力を含むキャリアアグリゲーションを採用している無線通信装置による、セカンダリコンポーネントキャリアの使用を管理することは有益であろう。
【０００５】
さらに、ライセンスされた無線周波数帯域及び非ライセンス無線周波数帯域の両方の組み合わせにわたってキャリアアグリゲーションを用いて動作する移動体無線装置のための、非ライセンス無線周波数帯域における一連の周波数チャネルの間での周波数ホッピングのための方法及び装置を提供する解決策の必要性が存在する。この点で、同一の非ライセンス無線周波数帯域で動作する非セルラ無線通信装置との共存干渉が非ライセンス無線周波数帯域における周波数チャネルを用いるセルラ無線装置からの干渉のない通信のための機会を有することを確実としながら、ライセンスされた無線周波数帯域に加えて非ライセンス無線周波数帯域で通信する能力を含むキャリアアグリゲーションを採用している無線通信装置によるセカンダリコンポーネントキャリアのセットの使用を管理することは有用であろう。
【課題を解決するための手段】
【０００６】
ライセンスされた無線周波数帯域、非ライセンス無線周波数帯域、及びライセンスされた無線周波数帯域並びに非ライセンス無線周波数帯域の両方の組み合わせにおいて動作する移動体無線装置のための、オフロード及び再選択のポリシ及びルールのための装置及び方法が説明される。無線セルラネットワーク機器、例えば単体の又は追加の無線ネットワーク機器と組み合わせられる（エンハンスドＮｏｄｅＢ又はｅＮｏｄｅＢとも呼ばれる)基地局、は、複数の無線周波数キャリアを並行して用いて送信と受信との少なくともいずれかを行うキャリアアグリゲーションを採用する１つ以上の無線通信装置による、セカンダリセルに関連付けられたセカンダリコンポーネントキャリアの使用を管理することができる。セカンダリコンポーネントキャリアは、プライマリセルのためのプライマリコンポーネントキャリアがライセンスされたセルラの無線周波数帯域において動作し得るのに対して、非ライセンス無線周波数帯域、例えば５ＧＨｚの産業医療科学用（ＩＳＭ）帯域における無線周波数に集められうる。ネットワーク機器は、セルラ無線ネットワークと無線通信装置との間のデータ通信を、プライマリコンポーネントキャリアを用いて、例えばＬＴＥ／ＬＴＥ−Ａ無線通信プロトコルで特定されるようにスケジューリングし、セカンダリコンポーネントキャリアを介して、非ライセンス無線周波数帯域内の追加の帯域幅でそのデータ通信を補う。ライセンスされた無線周波数帯域及び非ライセンス無線周波数帯域の組み合わせにおけるコンポーネントキャリアを伴うキャリアアグリゲーションを用いて通信することができる無線通信装置を、ここでは、ＬＴＥ−アンライセンスド（ＬＴＥ−Ｕ）可能無線通信装置と呼ぶ場合がある。プライマリ及びセカンダリコンポーネントキャリアは、それぞれ、プライマリ及びセカンダリセルに属し、共通のｅＮｏｄｅＢ（基地局）を通じて管理される。非ライセンス無線周波数帯域は、同一の非ライセンス無線周波数帯域で動作する他の無線装置、例えば、Ｗｉ−Ｆｉ（登録商標）無線通信プロトコルを用いる無線ローカルエリアネットワーク（ＷＬＡＮ）装置と共有される。いくつかの実施形態では、無線ネットワーク事業者は、例えばセルラ無線ネットワークのマクロセルによってカバーされるより非常に小さい限定的な地理的カバレッジエリアにわたって、非ライセンス無線周波数帯域で動作する「スモール」セルを配置し得る。いくつかの実施形態では、無線セルラ事業者は、非ライセンス無線周波数帯域を用いた動作のための拡張を含む３ＧＰＰのＬＴＥ／ＬＴＥ−Ａ無線セルラ通信プロトコル、及び、ＷＬＡＮ（Ｗｉ−Ｆｉ（登録商標））通信プロトコルの両方を並行して使用するネットワーク機器の組み合わせを配置し、管理してもよく、例えば、セルタワーとＷｉ−Ｆｉ（登録商標）ホットスポットの両方が、無線ネットワーク事業者によって配置されると共に管理されうる。いくつかの実施形態では、無線ネットワーク事業者は、セルラアクセスネットワークからのデータトラフィックのオフロードを提供するためにＷｉ−Ｆｉ（登録商標）ネットワークを使用する。ここで説明されるように、アクセスネットワーク発見及び選択機能（ＡＮＤＳＦ）ポリシ及びルー��のセットは、様々な無線通信プロトコルと無線周波数帯域との少なくともいずれかを使用する、並列の複数の無線アクセスネットワークを介した通信の管理を提供するためのオブジェクトを含みうる。いくつかの実施形態では、ＡＮＤＳＦポリシ及びルールは、ＬＴＥ−Ｕ可能無線通信装置がライセンスされた無線周波数帯域と非ライセンス無線周波数帯域との両方で動作するセルラ無線ネットワーク及び非ライセンス無線周波数帯域で動作する無線ローカルエリアネットワークの組み合わせを用いることができるように、キャリアアグリゲーション、オフローディング、ネットワーク選択、ネットワーク再選択、及び他のネットワーク管理能力を提供する。いくつかの実施形態では、ＡＮＤＳＦポリシ及びルールは、さらに、無線通信装置による、ライセンスされた無線周波数帯域及び非ライセンス無線周波数帯域の組み合わせにわたるキャリアアグリゲーションを用いる並行した無線通信を提供する。
【０００７】
したがって、ライセンスされた無線周波数帯域及び非ライセンス無線周波数帯域の両方の組み合わせを用いて動作する移動体無線装置における無線周波数チャネルの時間に基づく共用のための装置と方法とが説明される。無線セルラネットワーク機器、例えば、単体の又は追加の無線ネットワーク機器と組み合わせられる（エンハンスドＮｏｄｅＢ又はｅＮｏｄｅＢとも呼ばれる)基地局は、複数の無線周波数キャリアを並行して用いて送信と受信との少なくともいずれかを行うキャリアアグリゲーションを採用する１つ以上の無線通信装置による、セカンダリセルに関連付けられたセカンダリコンポーネントキャリアの使用を管理することができる。セカンダリコンポーネントキャリアは、プライマリセルのためのプライマリコンポーネントキャリアがライセンスされたセルラの無線周波数帯域において動作し得るのに対して、非ライセンス無線周波数帯域、例えば５ＧＨｚの産業医療科学用（ＩＳＭ）帯域における無線周波数に集められうる。ネットワーク機器は、セルラ無線ネットワークと無線通信装置との間のデータ通信を、プライマリコンポーネントキャリアを用いて、例えばＬＴＥ／ＬＴＥ−Ａ無線通信プロトコルで特定されるようにスケジューリングし、セカンダリコンポーネントキャリアを介して、非ライセンス無線周波数帯域内の追加の帯域幅でそのデータ通信を補う。ライセンスされた無線周波数帯域及び非ライセンス無線周波数帯域の組み合わせにおけるコンポーネントキャリアを伴うキャリアアグリゲーションを用いて通信することができる無線通信装置を、ここでは、ＬＴＥ−アンライセンスド（ＬＴＥ−Ｕ）可能無線通信装置と呼ぶ場合がある。プライマリ及びセカンダリコンポーネントキャリアは、それぞれ、プライマリ及びセカンダリセルに属し、共通のｅＮｏｄｅＢ（基地局）を通じて管理される。非ライセンス無線周波数帯域は、同一の非ライセンス無線周波数帯域で動作する他の無線装置、例えば、Ｗｉ−Ｆｉ（登録商標）無線通信プロトコルを用いる無線ローカルエリアネットワーク（ＷＬＡＮ）装置と共有される。いくつかの実施形態では、無線ネットワーク事業者は、例えばセルラ無線ネットワークのマクロセルによってカバーされるより非常に小さい限定的な地理的カバレッジエリアにわたって、非ライセンス無線周波数帯域で動作する「スモール」セルを配置し得る。いくつかの実施形態では、無線セルラ事業者は、非ライセンス無線周波数帯域を用いた動作のための拡張を含む３ＧＰＰのＬＴＥ／ＬＴＥ−Ａ無線セルラ通信プロトコル、及び、ＷＬＡＮ（Ｗｉ−Ｆｉ（登録商標））通信プロトコルの両方を並行して使用するネットワーク機器の組み合わせを配置し、管理してもよく、例えば、セルタワーとＷｉ−Ｆｉ（登録商標）ホットスポットの両方が、無線ネットワーク事業者によって配置されると共に管理されうる。いくつかの実施形態では、無線ネットワークは、「オン」の周期と「オフ」の周期との間で循環するように、例えば、システム情報ブロックメッセージと無線リソース制御メッセージとの少なくともいずれかを通じて、セカンダリコンポーネントキャリアのための設定を特定する。いくつかの実施形態では、無線ネットワークのｅＮｏｄｅＢは、セカンダリ��ル（そのセカンダリセルに関連付けられたセカンダリコンポーネントキャリアを例えば含む）を、媒体アクセス制御（ＭＡＣ）制御エレメントを用いて、有効化し、無効化する。いくつかの実施形態では、ｅＮｏｄｅＢは、「オン」サイクルの開始時間、「オフ」サイクルの開始時間及び「オン」及び「オフ」の持続期間を含む、一連のタイマを用いて、各セカンダリセルを設定する。いくつかの実施形態では、ｅＮｏｄｅＢは、「オン」及び「オフ」のサイクルを、システムフレーム番号（ＳＦＮ）値を用いて特定する。「オン」サイクルの間、１つ以上のＬＴＥ−Ｕ可能無線通信装置は、ライセンスされた無線周波数帯域におけるプライマリセルのプライマリコンポーネントキャリアを用いるのに加えて、非ライセンス無線周波数（ＲＦ）帯域におけるセカンダリセルのセカンダリコンポーネントキャリアを用いて、ｅＮｏｄｅＢに対する送信とｅＮｏｄｅＢからの受信との少なくともいずれかを行い得る。ｅＮｏｄｅＢは、「オン」サイクルの間、複数のＬＴＥ−Ｕ可能無線通信装置における通信を、互いに干渉しない時間／周波数リソースを共有するように、スケジューリングすることができる。「オフ」サイクルの間、ｅＮｏｄｅＢ及び複数のＬＴＥ−Ｕ可能無線通信装置は、送信を禁止する（又は控える）ことができ、「オフ」サイクルの間の非セルラ無線通信装置による通信のために無線周波数チャネルを解放したままにする。いくつかの実施形態では、ｅＮｏｄｅＢは、同一の「オン」及び「オフ」サイクルを用いるために、全てのＬＴＥ−Ｕ可能無線通信装置の伝送を同期させる。いくつかの実施形態では、ｅＮｏｄｅＢの各セカンダリセルは、「オン」及び「オフ」サイクルの共通のセットを使用する。いくつかの実施形態では、ｅＮｏｄｅＢの各セカンダリセルは、その独自の「オン」及び「オフ」サイクルのセットを用いる。「オフ」サイクルの間、ＬＴＥ−Ｕ可能無線通信装置は、ライセンスされた無線周波数帯域における無線リソースのみを用いて、例えば、プライマリセルに関連付けられたプライマリコンポーネントキャリアを用いて、ｅＮｏｄｅＢと通信する。ＬＴＥ−Ｕ可能無線通信装置は「オン」サイクルの間、セカンダリコンポーネントキャリアを介した非ライセンス無線周波数帯域とプライマリコンポーネントキャリアを介したライセンスされた無線周波数帯域との無線リソースの組み合わせを同時に用いたキャリアアグリゲーションを介して通信することができる。
【０００８】
さらに、ライセンスされた無線周波数帯域及び非ライセンス無線周波数帯域の組み合わせにわたるキャリアアグリゲーションを用いて動作する移動体無線装置による、セカンダリセルで使用される一連の周波数チャネルの間での周波数ホッピングのための装置及び方法が説明される。無線セルラネットワーク機器、例えば、単体の又は追加の無線ネットワーク機器と組み合わせられる（エンハンスドＮｏｄｅＢ又はｅＮｏｄｅＢとも呼ばれる)基地局は、複数の無線周波数キャリアを並行して用いて送信と受信との少なくともいずれかを行うキャリアアグリゲーションを採用する１つ以上の無線通信装置による、セカンダリセルに関連付けられたセカンダリコンポーネントキャリアの使用を管理することができる。セカンダリコンポーネントキャリアは、プライマリセルのためのプライマリコンポーネントキャリアがライセンスされたセルラの無線周波数帯域において動作し得るのに対して、非ライセンス無線周波数帯域、例えば５ＧＨｚの産業医療科学用（ＩＳＭ）帯域における無線周波数に集められうる。ネットワーク機器は、セルラ無線ネットワークと無線通信装置との間のデータ通信を、プライマリコンポーネントキャリアを用いて、例えばＬＴＥ／ＬＴＥ−Ａ無線通信プロトコルで特定されるようにスケジューリングし、セカンダリコンポーネントキャリアを介して、非ライセンス無線周波数帯域内の追加の帯域幅でそのデータ通信を補う。ライセンスされた無線周波数帯域及び非ライセンス無線周波数帯域の組み合わせにおけるコンポーネントキャリアを伴うキャリアアグリゲーションを用いて通信することができる無線通信装置を、ここでは、ＬＴＥ−アンライセンスド（ＬＴＥ−Ｕ）可能無線通信装置と呼ぶ場合がある。プライマリ及びセカンダリコンポーネントキャリアは、それぞれ、プライマリ及びセカンダリセルに属し、共通のｅＮｏｄｅＢ（基地局）を通じて管理される。非ライセンス無線周波数帯域は、同一の非ライセンス無線周波数帯域で動作する他の無線装置、例えば、Ｗｉ−Ｆｉ（登録商標）無線通信プロトコルを用いる無線ローカルエリアネットワーク（ＷＬＡＮ）装置と共有される。いくつかの実施形態では、無線ネットワーク事業者は、例えばセルラ無線ネットワークのマクロセルによってカバーされるより非常に小さい限定的な地理的カバレッジエリアにわたって、非ライセンス無線周波数帯域で動作する「スモール」セルを配置し得る。いくつかの実施形態では、無線セルラ事業者は、非ライセンス無線周波数帯域を用いた動作のための拡張を含む３ＧＰＰのＬＴＥ／ＬＴＥ−Ａ無線セルラ通信プロトコル、及び、ＷＬＡＮ（Ｗｉ−Ｆｉ（登録商標））通信プロトコルの両方を並行して使用するネットワーク機器の組み合わせを配置し、管理してもよく、例えば、セルタワーとＷｉ−Ｆｉ（登録商標）ホットスポットの両方が、無線ネットワーク事業者によって配置されると共に管理されうる。いくつかの実施形態では、セルラ無線ネットワークのｅＮｏｄｅＢは、ライセンスされた無線周波数帯域内のものであるプライマリコンポーネントキャリアと併せて、セカンダリコンポーネントキャリアとして使用するための、非ライセンス無線周波数帯域における周波数チャネルのセットを特��する。いくつかの実施形態では、ｅＮｏｄｅＢは、異なる中心周波数における周波数チャネルのセットに対する周波数ホッピングバターンを用いて、ＬＴＥ−Ｕ可能無線通信装置を設定する。ＬＴＥ−Ｕ可能無線通信装置は、第１の周波数チャネルに関連付けられた第１の時間期間の間、周波数ホッピングパターンにおける第１の周波数チャネルを用いて送信を行い、その後第２の時間期間の間、周波数ホッピングパターンにおける第２の周波数チャネルに切り替えるように構成されうる。それぞれが独自の周波数チャネル及び時間期間を伴う追加の周波数チャネルは、ｅＮｏｄｅＢによってＬＴＥ−Ｕ可能無線通信装置へ提供される周波数ホッピングパターンにおいて特定されうる。周波数ホッピングのための各時間期間は、システムフレーム番号（ＳＦＮ）のための最大カウンタ値より少ない、例えばＬＴＥ／ＬＴＥ−Ａ無線通信プロトコルにしたがって使用される１０ビットのＳＦＮに対する１０秒より短い時間にわたり得る。いくつかの実施形態では、ｅＮｏｄｅＢは、ＳＦＮの値に基づいて、「次の」周波数チャネルへ切り替えるようにＬＴＥ−Ｕ可能無線通信装置を設定する。ｅＮｏｄｅＢのセカンダリセルにおける一連のセカンダリコンポーネントキャリアを使用するように構成される全てのＬＴＥ−Ｕ可能無線通信装置は、特定された周波数ホッピングパターンに基づいて、同期してホップするように構成されうる。いくつかの実施形態では、ＬＴＥ−Ｕ可能無線通信装置は、ｅＮｏｄｅＢにより提供される情報（例えばＳＦＮの値）に基づいて同期するホッピングタイマを含み、ホッピングタイマが満了すると、ＬＴＥ−Ｕ可能無線通信装置は、周波数ホッピングパターンにおける次の周波数へ切り替える。非ライセンス無線周波数帯域における周波数チャネルは、その周波数チャネルが使用されない時間期間の間、ＬＴＥ−Ｕ可能無線通信装置からの干渉が「なく」なり得る。いくつかの実施形態では、ｅＮｏｄｅＢは、ｅＮｏｄｅＢによって収集された、例えばＬＴＥ−Ｕ可能無線通信装置によって提供される情報を含む、情報に基づいて周波数ホッピングパターンを適合させる。いくつかの実施形態では、ｅＮｏｄｅＢは、非セルラ無線通信装置に対する干渉のより低い尤度を有する周波数チャネルのセットを用いる周波数ホッピングパターンを、例えば、非ライセンス無線周波数帯域における１つ以上の無線周波数チャネルにわたる非セルラ無線通信装置からの干渉のレベルの測定に基づいて、選択する。
【０００９】
本概要は、ここで説明される主題のいくつかの態様の基本的な理解を提供するために、いくつかの例示の実施形態を要約する目的のためだけに与えられている。したがって、上述の特徴は単なる例であり、いかなる場合も、ここで説明される主題の範囲又は精神を狭めるように解釈されるべきでないことが理解されるだろう。ここで説明される主題の他の特徴、態様、及び利点は、以下の詳細な説明、図面及び特許請求の範囲から明らかになるだろう。
【００１０】
説明される実施形態とその利点は、添付の図面と併せて以下の説明を参照することによりもっともよく理解されうる。これらの図面は、必ずしも縮尺通りに描かれてはおらず、いかなる場合も、形式上及びこの開示の時点で当業者によってなされうる詳細の、それに対する予見できる変更を制限し排除することを意図していない。
【図面の簡単な説明】
【００１１】
【図１】本開示の様々な実施形態による、複数のユーザ端末デバイス（ＵＥ）に対応する、ロングタームエボリューション（ＬＴＥ）及びＬＴＥアドバンスド（ＬＴＥ−Ａ）ネットワークのセルを含む無線通信ネットワークを説明する図。
【図２Ａ】本開示の様々な実装による、プライマリセル及び１つ以上のセカンダリキャリアセルと通信するＬＴＥ及びＬＴＥ−Ａユーザ端末（ＵＥ）を描く無線通信ネットワーク図。
【図２Ｂ】本開示の様々な実装による、プライマリセル及び１つ以上のセカンダリキャリアセルと通信するＬＴＥ及びＬＴＥ−Ａユーザ端末（ＵＥ）を描く無線通信ネットワーク図。
【図２Ｃ】いくつかの実施形態による、無線周波数共存干渉を含む典型的な無線通信システムを説明する図。
【図２Ｄ】いくつかの実施形態による、無線周波数共存干渉を含む典型的な無線通信システムを説明する図。
【図３Ａ】本開示の様々な実施形態による、２つの帯域内コンポーネントキャリア（ＣＣ）周波数リソース及び１つの帯域間ＣＣ周波数リソース図を描く、３つの異なるキャリアアグリゲーションの説明の図。
【図３Ｂ】本開示の様々な実施形態による、２つの帯域内コンポーネントキャリア（ＣＣ）周波数リソース及び１つの帯域間ＣＣ周波数リソース図を描く、３つの異なるキャリアアグリゲーションの説明の図。
【図３Ｃ】本開示の様々な実施形態による、２つの帯域内コンポーネントキャリア（ＣＣ）周波数リソース及び１つの帯域間ＣＣ周波数リソース図を描く、３つの異なるキャリアアグリゲーションの説明の図。
【図３Ｄ】いくつかの実施形態による、無線通信装置により、非ライセンス無線周波数帯域で使用される並列無線周波数チャネルの典型的なセットを説明する図。
【図３Ｅ】ＬＴＥ−Ｕ無線通信システム及びＷｉ−Ｆｉ（登録商標）無線通信システムのオーバーラップする周波数チャネルを説明する図。
【図３Ｆ】ＬＴＥ−Ｕ無線通信システム及びＷｉ−Ｆｉ（登録商標）無線通信システムのオーバーラップする周波数チャネルを説明する図。
【図３Ｇ】本開示の様々な実施形態による、共有される非ライセンス無線周波数帯域における通信のための典型的な時間分割多重方法を説明する図。
【図４Ａ】本開示の様々な実施形態による、無線通信装置のブロック図。
【図４Ｂ】本開示の様々な実施形態による、無線通信装置のブロック図。
【図５】本開示の様々な実施形態による、無線通信装置とＬＴＥネットワークにおけるキャリアアグリゲーションのための一連のネットワークコンポーネントキャリアとの間のデータ及びシグナリング通信の図。
【図６】本開示の様々な実施形態による、ライセンスされた無線周波数帯域と非ライセンス無線周波数帯域との少なくともいずれかにおける複数の無線周波数チャネルを用いる無線周波数通信を、管理するための方法を描くフローチャート。
【図７】本開示のいくつかの実施形態による、無線通信装置のための時分割多重共存の方法を描くフローチャート。
【図８】本開示のいくつかの実施形態による、無線通信装置のための周波数ホッピング共存の方法を描くフローチャート。
【発明を実施するための形態】
【００１２】
本開示によるシステム、方法、装置及びコンピュータプログラム製品の典型的なアプリケーションについて本節において説明する。これらの例は、前後関係を加えると共に説明される実施形態の理解を助けるためだけに提供されるものである。当業者であれば、説明される実施形態は、これらの特定の詳細のいくつか又は全てを用いずに実行されうることを理解するだろう。他の例では、よく知られた処理ステップについては、説明される実施形態を不必要に曖昧にすることを避けるために、詳細には説明されていない。以下の例が限定として捉えられるべきでないような、他の応用が可能である。
【００１３】
以下の詳細な説明では、説明の一部を形成すると共に説明される実施形態による特定の実施形態が例として示される、添付の図面が参照される。これらの実施形態について、当業者が説明される実施形態を実施することができるように十分に説明するが、これらの例は限定するものではなく、他の実施形態が使用されてもよいし、説明される実施形態の精神及び範囲から離れることなく変更がなされうる。
【００１４】
ここで説明される様々な実施形態では、用語「無線通信装置」「無線装置」「移動体装置」「移動局」及び「ユーザ端末」（ＵＥ）が、本開示の様々な実施形態に関連付けられた手順を実行することが可能でありうる１つ以上の共通の家庭用電化装置を説明するために、ここでは互いに交換可能に使用されうる。様々な実装によれば、これらの家庭用電化装置のいずれか１つは、携帯電話若しくはスマートフォン、タブレットコンピュータ、ラップトップコンピュータ、ノートブックコンピュータ、パーソナルコンピュータ、ネットブックコンピュータ、メディアプレイヤ装置、電子ブック装置、ＭｉＦｉ（商標）装置、ウェアラブルコンピューティング装置、及び、無線ワイドエリアネットワーク（ＷＷＡＮ）、無線メトロエリアネットワーク（ＷＭＡＮ）、無線ローカルエリアネットワーク（ＷＬＡＮ）、無線パーソナルエリアネットワーク（ＷＰＡＮ）、ニアーフィールドコミュニケーション（ＮＦＣ）、セルラ無線ネットワーク、第４世代（４Ｇ）ＬＴＥ、ＬＴＥアドバンスド（ＬＴＥ−Ａ）、及び５Ｇ又は他の現存の若しくは将来に開発されるアドバンスドセルラ無線ネットワークにおける通信に用いられるような、１つ以上の無線通信プロトコルを介した通信を含みうる無線通信能力を有する任意のタイプの電子コンピューティング装置に関し得る。
【００１５】
いくつかの実施形態では、無線通信装置は、例えばＷＰＡＮと「アドホック」無線ネットワークとの少なくともいずれかの一部として、例えばＷＬＡＮの一部であるアクセスポイント（ＡＰ）と相互接続されるか、互いに相互接続されるかの少なくともいずれかである、ステーション、クライアント無線装置、又はクライアント無線通信装置とも呼ばれうる、クライアント装置のセットを含みうる無線通信システムの一部として動作し得る。いくつかの実施形態では、クライアント装置は、ＷＬＡＮ技術を介して、例えば無線ローカルエリアネットワークの通信プロトコルに従って通信する能力を有する任意の無線通信装置でありうる。いくつかの実施形態では、ＷＬＡＮ技術は、Ｗｉ−Ｆｉ（登録商標）（又はより一般的にはＷＬＡＮ）無線通信サブシステム又は無線機を含むことができ、Ｗｉ−Ｆｉ（登録商標）無線機は、ＩＥＥＥ８０２．１１ａ、ＩＥＥＥ８０２．１１ｂ、ＩＥＥＥ８０２．１１ｇ、ＩＥＥＥ８０２．１１−２００７、ＩＥＥＥ８０２．１１ｎ、ＩＥＥＥ８０２．１１−２０１２、ＩＥＥＥ８０２．１１ａｃ、又は他の既存の又は将来開発されるＩＥＥＥ８０２．１１技術の１つ以上などの、米国電気電子学会（ＩＥＥＥ）８０２．１１技術を実装し得る。
【００１６】
様々な実施形態では、これらの能力は、各ＵＥが、キャリアアグリゲーションをサポートする何らかのタイプのＬＴＥベースの無線アクセス技術（ＲＡＴ）を採用しうる様々な４Ｇネットワークセル内で通信することを可能としうる。いくつかの実施形態では、各ＵＥは、ＬＴＥベースのＲＡＴを用いるか、無線ローカルエリアネットワーク（ＷＬＡＮ）のための無線通信プロトコルに従うかの少なくともいずれかで、通信しうる。いくつかの実施形態では、ＵＥは、ライセンスされた無線周波数帯域とライセンスされた無線周波数帯域及び非ライセンス無線周波数帯域の組み合わせとの少なくともいずれかにおいて、ＬＴＥ無線通信プロトコルを用いて動作しうる。いくつかの実施形態では、ＵＥは、ＬＴＥベースの無線ネットワークのセルラ接続とＷＬＡＮを介した接続との間でデータ通信の全部又は一部をオフロードしうる。いくつかの実施形態では、ＵＥは、キャリアアグリゲーション手法のコンポーネントキャリア間でデータの一部をオフロードしてもよい。いくつかの実施形態では、コンポーネントキャリアは、ライセンスされた無線周波数帯域及び非ライセンス無線周波数帯域の組み合わせでありうる。いくつかの実施形態では、無線ネットワークプロバイダは、様々な無線通信プロトコルに従って動作するものを含む様々なＲＡＴを用いてネットワーク間でデータ通信のオフロードを管理しうる。いくつかの実施形態では、ＵＥは、ＬＴＥベースの無線ネットワーク及びＷＬＡＮの間で、例えば再選択を介して、接続を転送することができる。
【００１７】
いくつかの実施形態では、ＵＥは、ＬＴＥ−Ａ無線通信プロトコルによって規定されるキャリアアグリゲーションに従って、複数のコンポーネントキャリアを用いて通信することができる。３ＧＰＰのＬＴＥとＬＴＥ−Ａとの少なくともいずれかの無線通信プロトコルに従って通信する無線通信装置は、例えば無線ネットワークの複数のセルからの下りリンク方向における、スループットを増加させるために、キャリアアグリゲーションを用いることができる。無線ネットワークの第１のセル（プライマリセル）に関連付けられうるプライマリコンポーネントキャリアは、無線ネットワークから無線通信装置への下りリンク通信と無線通信装置から無線ネットワークへの上りリンク通信との組み合わせのために用いられうる。無線ネットワークの第２の（セカンダリセル）に関連付けられうるセカンダリコンポーネントキャリアは、下りリンク通信のために用いられうる。複数のコンポーネントキャリアを伴うキャリアアグリゲーションを通じて達成可能な集約データレートは、単一のコンポーネントキャリアのみを用いて達成可能なデータレートを上回ることができる。しかしながら、いくつかの実施形態では、上りリンク通信は、プライマリコンポーネントキャリアのみを用いるように拘束されうる。ＬＴＥ／ＬＴＥ−Ａ無線通信プロトコルへの拡張は、ここでさらに説明されるように、ライセンスされた無線周波数帯域におけるプライマリコンポーネントキャリアと非ライセンス無線周波数帯域における１つ以上のセカンダリコンポーネントキャリアとの組み合わせを用いることを提供しうる。
【００１８】
キャリアアグリゲーションで用いられる各コンポーネントキャリアは、共通の無線周波数帯域内の又は２つの別個の無線周波数帯域にわたる様々な無線周波数値において集められうる。別個の無線周波数帯域は、ライセンスされた無線周波数帯域、又はライセンスされた無線周波数帯域及び非ライセンス無線周波数帯域の両方の組み合わせを含みうる。いくつかの実施形態では、キャリアアグリゲーションに使用されるプライマリコンポーネントキャリアを介した通信は、ライセンスされた無線周波数帯域内でありえ、ＵＥによってキャリアアグリゲーションに使用されるセカンダリコンポーネントキャリアを通じた通信は、非ライセンス無線周波数帯域内でありうる。無線ネットワークプロバイダは、無線ネットワーク機器を介して、非ライセンス無線周波数帯域を共用する他の無線通信装置との共存干渉を低減するための方法で、非ライセンス無線周波数帯域におけるキャリアアグリゲーションのためのセカンダリコンポーネントキャリアの使用を管理しうる。無線ネットワークプロバイダは、並列の無線ネットワーク間でデータ通信をオフロードするか否か、いつ行うか、又はどのように行うかの少なくともいずれかを判定するために、キャリアアグリゲーションを介して複数のコンポーネントキャリアを用いるデータ通信を共用するために、そして、ＷＬＡＮを含む様々なＲＡＴを用いる様々な無線ネットワーク間での再選択を行うために、のいずれかのために、ＵＥと、無線周波数状態、信号品質、データ通信性能、リンクの安定性などを監視するアクセスネットワーク機器、例えばｅＮｏｄｅＢとの少なくともいずれかによって集められた１つ以上の性能メトリックを用いることができる。
【００１９】
さらに、ここで説明されるＵＥは、追加の第３世代（３Ｇ）と第２世代（２Ｇ）ＲＡＴとの少なくともいずれかを介して通信することもできるマルチモード無線通信装置として構成されうることが理解されるべきである。これらのシナリオでは、マルチモードＵＥは、より引くデータレートスループットを提供するレガシーの３Ｇネットワークと比べて、より高速なデータレートスループットを提供するＬＴＥ又はＬＴＥ−Ａネットワークへの取り付けが「好ましい」ように構成されうる。例えば、いくつかの実装では、４Ｇ準拠のＵＥは、ＬＴＥ及びＬＴＥ−Ａネットワークがほかに使用可能でない場合に、レガシーの３Ｇネットワーク、例えばエボルブド高速パケットアクセス（ＨＳＰＡ＋）ネットワーク又は符号分割多元接続（ＣＤＭＡ）２０００エボルブドデータオンリー（ＥＶ−ＤＯ）ネットワークへ、フォールバックするように構成されうる。
【００２０】
図１は、３ＧＰＰのエボルブドユニバーサル地上無線アクセス（Ｅ−ＵＴＲＡ）のエアインタフェースに準拠しうると共に、ＬＴＥ−Ｘ２インタフェースを介して互いに通信することができる（例えば無線塔として描かれる）エンハンスドＮｏｄｅＢ（ｅＮｏｄｅＢ）基地局をそれぞれが有するＬＴＥネットワークセル１０２及び２つのＬＴＥ−Ａネットワークセル１０４ａ−ｂを含みうるが含むことに限定されない、無線通信システム１００を描いている。さらに、Ｅ−ＵＴＲＡ準拠の通信システム１００は、エボルブドパケットコア（ＥＰＣ）の一部として、ＬＴＥ及びＬＴＥ−ＡセルのｅＮｏｄｅＢ１０２及び１０４ａ−ｂと、ＬＴＥ−Ｓ１インタフェースを介して通信することができる、任意の数のモビリティ管理エンティティ（ＭＭＥ）１０８ａ−ｃ、サービングゲートウェイ（Ｓ−ＧＷ）１０８ａ−ｃ、ＰＤＮゲートウェイ（Ｐ−ＧＷ）１１０などを含みうる。さらに、Ｅ−ＵＴＲＡ通信システム１００は、任意の特定の時刻において、ＬＴＥ及びＬＴＥ−Ａセル１０２及び１０４ａ−ｂの１つ以上のｅＮｏｄｅＢを介して無線通信サービスを受けることができる任意の数のＵＥを含みうる。例として、ＵＥ１０６は、１つ以上のＬＴＥ−Ａセル１０４ａ−ｂの範囲内に位置しうる。図１には明示的に示されていないが、ＬＴＥ及びＬＴＥ−Ａセルは、各セルによってカバーされる地理的領域において、少なくとも部分的にオーバーラップしうる。
【００２１】
様々な実施形態において、キャリアアグリゲーションをサポートすることができるいずれかのＭＭＥ１０８ａ−ｃとＬＴＥ−Ａセル１０４ａ−ｂのｅＮｏｄｅＢ基地局との少なくともいずれかは、ＤＬにおいていずれかのＵＥ１０６に対して制御プレーンデータを伝えるように構成されうる。さらに、いずれかのＵＥ１０６は、ＵＬにおいてＬＴＥ−Ａセル１０４ａ−ｂのいずれかを介して、制御プレーンデータを伝えることができうる。この点で、ＭＭＥ１０８ａ−ｂは、ＥＰＣとＵＥ１０６との間の非アクセス階層（ＮＡＳ）制御プレーンシグナリングを、ネットワークの無線アクセスネットワーク（ＲＡＮ）の一部の上で、ｅＮｏｄｅＢを介して実行しうることが理解されるべきである。いくつかのシナリオでは、ＮＡＳシグナリングは、対応するページングメッセージを生成して、様々な通信セキュリティの特徴を実装することにより、アイドルモードから接続モード（及びその逆）へのＵＥの遷移に影響する、ユーザ端末（ＵＥ）に対する無線ベアラ接続を確立し解放するための手順を含みうるが、含むとは限られない。
【００２２】
さらに、ＬＴＥ−Ａセル１０４ａ−ｂのｅＮｏｄｅＢ基地局は、システム情報のブロードキャスト、ＭＭＥから発されたページングメッセージの送信、ＵＥのためのＲＲＣパラメータ設定、ネットワークのセル選択及び再選択手順、ＵＥのための測定及び報告設定、無線リンク信号品質の監視と報告、及び、キャリアアグリゲーションに用いられるコンポーネントキャリアを含む様々な無線ベアラの使用の間の、追加、削除、及び遷移を含む様々なＵＥと無線ネットワークとの間の無線接続の管理等を含むが、含むことに限られない、様々な無線リソース制御（ＲＲＣ）制御プレーンシグナリング手順を実行するように構成されうる。様々な実装では、ＲＲＣ制御プレーンシグナリングは、以下のＬＴＥプロトコルエンティティ又はレイヤ：パケットデータ収束プロトコル（ＰＤＣＰ）、無線リンク制御（ＲＬＣ）レイヤ、媒体アクセス制御（ＭＡＣ）レイヤ、物理（ＰＨＹ）レイヤの１つ以上と併せて実行されうる。制御プレーンデータ及びユーザプレーンデータは、下りリンク（ＤＬ）において又は上りリンク（ＵＬ）において、例えば、同一の送信時間間隔（ＴＴＩ）の間、ＭＡＣレイヤの範囲で多重化され、ＰＨＹレイヤを介して意図された受信者へ伝えられうることが理解されるべきである。
【００２３】
図２Ａは、キャリアアグリゲーションシナリオにおいて、各セルがオーバーラップするが同一の地理的領域を必ずしもカバーしなくてもよいプライマリセル２１０及び２つのセカンダリセル２１２及び２１４と通信するＬＴＥ−Ａ準拠のＵＥ２０６を描く、無線通信ネットワーク図２００を示している。例として、及び３ＧＰＰのＬＴＥ−Ａリリース１０、１１並びに１２を参照して、ＬＴＥ−Ａ準拠のＵＥ２０６は、（例えばＤＬ又はＵＬにおいて）３つの区別される（キャリアとも呼ばれる）無線周波数リソースＦ１、Ｆ２及びＦ３を介して無線カバレッジを提供するための無線周波数送信及び受信設備を有しうるｅＮｏｄｅＢ基地局２０２と通信することができる。３つのキャリアは、例えば単一のコンポーネントキャリアのみを使用して可能でありうるよりも高い通信帯域幅とスループットとの少なくともいずれかを提供するために、ＵＥ２０６に集約して提供されうる通信用の個別のコンポーネントキャリア（ＣＣ）として使用されうる。ＬＴＥ−Ａ準拠のＵＥ２０６の観点から、ＣＣ無線周波数リソースＦ１はプライマリセル２１０に関連付けられてもよく、ＣＣ無線周波数リソースＦ２はセカンダリセル２１２に関連付けられてもよく、そして、ＣＣ無線周波数リソースＦ３はセカンダリセル２１４に関連付けられてもよい。周波数リソースシナリオのための別のキャリアアグリゲーションの表現について、ここではさらに図３Ａ、３Ｂ及び３Ｃについて説明する。
【００２４】
通信ネットワーク図２００は、また、３ＧＰＰのＬＴＥリリース８及び９を参照する、複数のコンポーネントキャリアを伴うキャリアアグリゲーションを用いて通信することはできないが、１つのコンポーネントキャリア、例えばプライマリコンポーネントキャリアを用いてＬＴＥ無線通信プロトコルに従って通信することができる、ＬＴＥ準拠のＵＥ２０４をも描いている。例として、ＬＴＥ準拠のＵＥ２０４は、（ＤＬ又はＵＬにおいて）単一の周波数リソースＦ１を介して、ｅＮｏｄｅＢ基地局２０２と通信することができる。単一キャリアシナリオでは、ＬＴＥ準拠のＵＥ２０４は、達成可能なデータレートスループットを、１．４ＭＨｚから２０ＭＨｚまで分布しうる周波数帯域幅を用いて、ＤＬにおいておよそ３００Ｍビット／秒に、ＵＬにおいて７５Ｍビット／秒に（実世界の実装は変動しうる）制限する個別の標準指定されたシステム帯域幅を採用する。通信ネットワーク図２００は、ＬＴＥ無線通信プロトコル（例えば、３ＧＰＰのＬＴＥリリース８／９以降）に従って動作すると共に、「スモール」セル２１８、すなわち、無線ネットワークのための通常の「マクロ」セルのものより小さい地理的カバレッジ範囲を有するセルと関連付けられうる単一の周波数リソースＦ４を介して無線ネットワークと接続しうるＬＴＥ準拠のＵＥ２０８をも描いている。いくつかの実施形態では、「スモール」セル２１８は、無線ネットワークのマクロセルによって、例えばプライマリセル２１０によって提供されるカバレッジを補う、限定されたカバレッジを与えうる、マイクロセル、ナノセル、又はフェムトセルとも呼ばれうる。「スモール」セル２１８は、有線又は無線接続を用いて無線ネットワークに「バックホール」を介して接続されうる専用のネットワーク機器２１６から発されうる。いくつかの実施形態では、「スモール」セル２１８は、有線接続を介して（例えば「ブロードバンド」リンクを通じて）無線ネットワークに接続する。無線ネットワークプロバイダは、セルラ無線ネットワークの１つ以上のマクロセルによって提供されるサービスを補うための限定された範囲内で短い範囲のカバレッジを与える「ホーム」ベースの「スモールセル」のためのサービスを提供しうる。無線ネットワークプロバイダは、「マクロ」セルと「スモール」セルとの組み合わせを用いて、ネットワーク負荷のバランスを取り、より大きいカバレッジ、より高いデータレート、又はより強固なリンクの安定性の少なくともいずれかを与えるために、複数の並列の接続オプションを使用しようとしてもよい。いくつかの実施形態では、無線ネットワークプロバイダは、ライセンスされた無線周波数帯域におけるキャリアを用いて、例えば、周波数リソースＦ４を介して、「スモール」セル２１８を動作させうる。いくつかの実施形態では、無線ネットワークプロバイダは、ライセンスされた無線周波数帯域におけるプライマリコンポーネントキャリアを介した通信を補うために、非ライセンス無線周波数帯域におけるセカンダリコンポーネントキャリアを用いて「スモール」セル２１８を動作させうる。ＬＴＥ−Ｕ可能無線通信装置は、キャリアアグリゲーションを介して、ライセンスされた無線周波数帯域及び非ライセンス無線周波数帯域の両方における、コンポーネントキャリアの組み合わせを用いて、無線ネットワークに接続することができよう。
【００２５】
図２Ｂは、無線周波数Ｆ１におけるプライマリコンポーネントキャリアを介して、（ＬＴＥ／ＬＴＥ−Ａ無線通信プロトコルに従って）プライマリセル２１０と通信すると共に、無線周波数Ｆ５におけるセカンダリコンポーネントキャリアを介してセカンダリセル２５６と通信する無線通信装置２５２を描く、別の無線通信ネットワークのための図２５０を示している。いくつかの実施形態では、無線ネットワークプロバイダは、非ライセンス無線周波数帯域のキャリアを用いて「スモール」セル２１８を動作させうる。非ライセンス無線周波数帯域におけるセカンダリキャリアは、ＬＴＥ−アンライセンスド（ＬＴＥ−Ｕ）キャリアとも呼ばれる場合があり、ＬＴＥ−Ｕ可能無線通信装置２５２はＬＴＥ−Ｕ無線通信プロトコルに従って動作しうる。ここでさらに説明されるように、いくつかの実施形態では、無線ネットワークプロバイダは、例えば周波数リソースＦ１を介するライセンスされた無線周波数帯域におけるプライマリキャリアと、例えば周波数リソースＦ５を介する非ライセンス無線周波数帯域におけるセカンダリキャリアとの両方を並行して使用して、無線通信装置２５２との通信を与えうる。非ライセンス無線周波数帯域が他の非セルラ無線通信装置によって共用されうるため、セルラ無線ネットワークは、非ライセンス無線周波数帯域におけるセカンダリコンポーネントキャリアでの通信と例えばＷｉ−Ｆｉ（登録商標）プロトコルがその典型例である無線ローカルエリアネットワーク（ＷＬＡＮ）無線通信プロトコルに従って動作する他の無線通信装置によって用いられる周波数のオーバーラップする又は隣接するセットを用いた通信との間の共存干渉を低減しようとすることができる。非ライセンス無線周波数帯域は複数のネットワークプロバイダと、様々な無線ネットワーク機器との少なくともいずれかによって共用されうるため、セカンダリセル２５６におけるセカンダリコンポーネントキャリアＦ５を介したＬＴＥ−Ｕ通信は、他の無線通信装置、例えばＷｉ−Ｆｉ（登録商標）設備への又はそれからの干渉を低減するために、無線ネットワークによって「管理」されうる。無線ネットワークは、複数のＬＴＥ−Ｕ可能無線装置、例えば複数の異なる無線通信装置２５２の間で非ライセンス無線周波数帯域を共用するために、セカンダリコンポーネントキャリアＦ５上での伝送をスケジューリングする設備を含んでもよい。いくつかの実施形態では、無線ネットワークプロバイダは、また、無線ローカルエリアネットワーク装置、例えば、Ｗｉ−Ｆｉ（登録商標）の「ホットスポット」（不図示）、セカンダリセル２５６及びプライマリセル２１０を同時に動作させてもよく、３つの別個のネットワーク機器、例えば「管理された」Ｗｉ−Ｆｉ（登録商標）の「ホットスポット」アクセスポイント、セカンダリセルのｅＮｏｄｅＢ２５４（または「フェムトセル」若しくは設備）、及びプライマリセルのｅＮｏｄｅＢ２０２、を介して通信を管理しうる。無線ネットワークプロバイダは、共存干渉を低減し、様々なネットワーク機器間のトラフィックのオフロードを提供し、１つ以上の様々なネットワーク機器を介して接続を確立するための無線通信装置２５２による選択を提供し、様々なネットワーク機器間の再選択を提供し、並列のコンポーネントキャリアを使用する通信を共用するなどのために、複数の無線通信装置と通信するネットワーク機器の組み合わせを管理しうる。いくつかの実施形態では、無線ネットワークプロバイダは、ｅＮｏｄｅＢ２０２の「スモール」セルのネットワーク機器２５４と管理されたＷＬＡＮ（Ｗｉ−Ｆｉ（登録商標））アクセスポイント（不図示）との組み合わせを含む様々な種類のアクセスネットワーク機器を用いた通信の管理を提供するために、アクセスネットワーク発見及び選択機能（ＡＮＤＳＦ）ポリシオブジェクトのセットを使用しうる。
【００２６】
図２Ｃ及び２Ｄは、いくつかの実施形態に従って無線周波数共存干渉に直面し得る典型的な無線通信システムを示している。図２Ｃは、無線通信装置２６２が、ＷＬＡＮ無線通信プロトコルに従ってＷＬＡＮアクセスポイント２６４から受信しながら、セルラ無線通信プロトコルを用いて同時に通信すること、例えば、ライセンスされたＬＴＥの周波数帯域を用いてプライマリコンポーネントキャリアを介してセルタワー（基地局）２０２へ、そして、非ライセンス無線周波数帯域におけるセカンダリコンポーネントキャリアを介してセルタワー（基地局２５４）へ、送信することが可能な、無線通信システム２６０を示している。ＷＬＡＮアクセスポイントは、いくつかの実施形態においてＷＬＡＮ無線通信プロトコルのみを用いて動作し得る他の無線通信装置２６８とも通信することができる。ＷＬＡＮアクセスポイント２６４は、無線装置２６２及び２６８と共に、非ライセンス無線周波数帯域における特定の無線周波数チャネルを用いるＷＬＡＮを形成することができる。無線装置２６２が、ＷＬＡＮと同一の無線周波数チャネルで、又はＷＬＡＮとオーバーラップする無線周波数チャネルで、例えばＬＴＥ−Ｕ可能基地局２５４へ送信を行う場合、無線装置２６２の受信器は、「装置内」共存無線周波数干渉に直面し得る。いくつかの実施形態では、セルラの送信器とＷＬＡＮ受信器とが無線装置２６２に共に配置されうるため、ＷＬＡＮ受信器とセルラ送信器との少なくともいずれかは、例えば、セルラ送信器からＷＬＡＮ受信器への無線周波数干渉の低減を与えるための重畳している送信時間の最小化と周波数チャネルの使用の変更との少なくともいずれかにより、「装置内」共存無線周波数干渉の効果を軽減するための対策に取り組みうる。
【００２７】
しかしながら、無線周波数干渉は、２つの異なる無線装置間にも、又は図２Ｄの無線通信システム２７０によって示されるように、（例えば無線ＷＬＡＮアクセスポイント２６４と同じ無線装置２６８と通信する）セルラ無線ネットワークのアクセスネットワーク機器からも生じうる。ＬＴＥ−Ｕ可能基地局２５４と通信する近傍の無線装置２６２のセルラ送信器は、それ自身のＷＬＡＮ受信器に干渉するのみならず、他の無線装置、例えば、同一の周波数チャネルと無線装置２６２のＬＴＥ−Ｕセルラ送信器によって占められている１つ以上の重畳無線周波数チャネルとの少なくともいずれかを用いてＷＬＡＮアクセスポイント２６４と通信しようとし得る、無線装置２６８のＷＬＡＮ受信器にも干渉し得る。同様に、例えば無線装置２６８を含む１つ以上の無線装置と通信するＬＴＥ−Ｕ帯域の基地局２５４のセルラ送信器は、ＬＴＥ−Ｕ帯域の基地局２５４のセルラ送信器によって使用されるのと同一であるか重畳するかの少なくともいずれかである無線周波数チャネルを用いてＷＬＡＮアクセスポイント２６４と通信しようとしうる無線装置２６８において、共存干渉を引き起こし得る。いくつかの実施形態では、無線装置２６８は、ＷＬＡＮアクセスポイント２６４とセルラ無線ネットワークのＬＴＥ−Ｕ帯域の基地局２５４との両方からの信号を受信しようとし得る。ＷＬＡＮアクセスポイント２６４とＬＴＥ−Ｕ帯域の基地局との両方が、例えば非ライセンス無線周波数帯域の、同一の無線周波数チャネルと１つ以上の重畳する無線周波数チャネルとの少なくともいずれかを用いる場合、無線装置２６８による（例えば別個の並列無線回路を用いた）ＷＬＡＮアクセスポイント２６４とＬＴＥ−Ｕ帯域の基地局２５４との少なくともいずれかからの信号の受信は、互いに干渉し得る。いくつかの実施形態では、無線装置２６８の受信器は、ＬＴＥ−Ｕ帯域の基地局２５４又はＷＬＡＮ通信に用いられる無線周波数チャネルとオーバーラップするかそれを使用するかの少なくともいずれかである他の無線装置２６２からなどの、近傍のセルラ送信器からの、無線周波数信号を聞いて検出することができ、セルラ通信からの無線周波数干渉の効果を最小化と軽減との少なくともいずれかをしようとし得る。いくつかの実施形態では、無線装置２６２の送信は、例えば無線装置２６２自身か無線ネットワーク機器かの少なくともいずれかによって、例えばＬＴＥ基地局２０２とＬＴＥ−Ｕ可能基地局２５４との少なくともいずれかを通じて供給される制御信号を介して、無線装置２６２及び２６８の間の共存干渉を軽減するように管理されうる。ここでさらに説明されるように、無線装置２６２は、非ライセンス無線周波数帯域の全部または一部を、他の無線装置と、例えば無線装置２６８と、共有するために、時分割多重と周波数ホッピングとの少なくともいずれかを用いて送信することができる。
【００２８】
例えばキャリアセンス多元接続（ＣＳＭＡ）プロトコルに基づく通常のＷＬＡＮ通信システムでは、無線クライアント装置、例えば２６８は、到来するＷＬＡＮパケットを、その宛先を判定するために復号することができる。ＷＬＡＮ通信システムにおける通信が「スケジューリングされない」でもよいため、任意の到来ＷＬＡＮパケットが無線クライアント装置２６８宛てでありうる。いくつかの実施形態では、無線クライアント装置２６８は、ＷＬＡＮパケットのプリアンブルを検出し、復号することができ、そうすることにより、無線クライアント装置２６８は、（「媒体」とも呼ばれうる）無線周波数チャネルが他のＷＬＡＮクライアント装置によって占められているかを判定することができる。ＷＬＡＮ通信プロトコルは、ＣＳＭＡ機構を適切に実行するために、−８２ｄＢｍ以上のレベルの信号が、ＷＬＡＮクライアント装置２６８によって、また、ＷＬＡＮアクセスポイント２６４によって検出可能であると共に復号可能であることを要求しうる。通常のＷＬＡＮクライアント装置２６８では、−９０ｄＢｍ以上のレベルのＷＬＡＮ信号が検出され復号されうる。しかしながら、検出と復号は、検出のためのＷＬＡＮパケットの最初におけるプリアンブルの存在に依存する場合があり、通信が検出可能なプリアンブルを含まない場合、ＷＬＡＮクライアント装置２６８は、代わりに、無線周波数干渉源の存在を判定するために単純な電力検出機構に依存し得る。
【００２９】
ＷＬＡＮ通信プロトコルは、ＷＬＡＮクライアント装置２６８によって、−６２ｄＢｍ以上の電力レベルを有する無線信号を検出可能であることを要求し得る。この検出可能な電力レベルは、ＷＬＡＮクライアント装置２６８によって復号可能であってもよいし、復号可能でなくてもよい無線周波数信号に対するものであり、ＷＬＡＮクライアント装置２６８による検出のためのプリアンブルを含むフォーマットされたパケットの検出可能レベルより実質的に高い。−６２ｄＢｍ以上の受信信号強度表示（ＲＳＳＩ）の測定とも呼ばれうる、干渉無線信号の電力を検出した場合、ＷＬＡＮクライアント装置２６８Ｂは、無線周波数チャネルが「ビジー」である又は「占められている」と気づくことができ、将来の「クリアな」伝送時間を待つことができる。したがって、ＷＬＡＮクライアント装置２６８は、無線周波数チャネルにおける「キャリア」の存在を「センスする」ことができ、その無線周波数チャネルを用いて他のＷＬＡＮ装置に「フェアな」アクセスを提供することができる。ＬＴＥ−Ｕセカンダリコンポーネントキャリアを用いて通信する無線通信装置２６２とＷＬＡＮ無線通信プロトコルを用いて通信するＷＬＡＮクライアント装置２６８との両方は、同時に同一の無線周波数チャネルの全部または一部を占めようとする場合、無線周波数干渉に制約を受けうる。ＬＴＥ通信システムとＷＬＡＮ通信システムとの少なくともいずれかのための無線パケットは、適切な検出及び「バックオフ」機構が採用されない限り、無線周波数干渉によって破損し得る。いくつかの実施形態では、ＷＬＡＮクライアント装置２６８とＷＬＡＮのＡＰ２６４との少なくともいずれかは、ＬＴＥセルラシステムの存在を検出するために、ある無線周波数帯域における（又は複数の無線周波数帯域における）１つ以上の無線周波数チャネルをスキャンすることができる。非ライセンス無線周波数帯域における無線装置２６２のセルラ伝送は、ＷＬＡＮクライアント装置２６８がＷＬＡＮのＡＰ２６４と通信し得る間、「クリアな」伝送の時間間隔と無線周波数チャネル（又は、より一般的には、非ライセンス無線周波数帯域における無線周波数スペクトルの一部）を提供するために、時間におけるギャップを含むか、時間とともに様々な無線周波数チャネルを使用するかの少なくともいずれかを行いうる。いくつかの実施形態では、ＷＬＡＮクライアント装置２６８及びＷＬＡＮのＡＰ２６４によって使用されるような、非ライセンス無線周波数帯域とオーバーラップする周波数帯域を少なくとも部分的に用いて動作するキャリアアグリゲーション手法におけるセカンダリコンポーネントキャリアを使用する全ての無線通信装置２６２は、ＬＴＥ−Ｕ可能装置とＷＬＡＮ（Ｗｉ−Ｆｉ（登録商標））装置との両方を含む複数の無線通信装置の間での、非ライセンス無線周波数帯域の「フェアな」共有を可能にするために、「クリアな」伝送時間と「クリアな」無線周波数チャネルとの少なくともいずれかを提供するように管理されうる。
【００３０】
図３Ａ、３Ｂ及び３Ｃは、様々な実施形態による、２つの帯域内ＣＣ周波数リソース図３００及び３１０と１つの帯域間ＣＣ周波数リソース図３２０とを描く３つの異なるキャリアアグリゲーションの表現を示している。一般的に理解されるように、３ＧＰＰのＬＴＥ及びＬＴＥ−Ａでは、個別のＣＣは、１．４ＭＨｚから２０ＭＨｚまでに及ぶ様々なシステム帯域幅３０８における通信に制限されうる。このように、キャリアアグリゲーションシナリオを用いることによって達成可能な累積のＤＬデータレートスループットは、例えば並列して採用されるＣＣの数（ＬＴＥ−Ａでは５ＣＣまで）に関すると共に構成要素のＣＣの帯域幅に基づく乗数値によって、約３００Ｍビット／秒の単一のキャリアのデータレートスループットを超えて増加し得る。ＬＴＥ−Ａを採用している電気通信ネットワークに対しては、先行するＬＴＥのバージョンとの相互運用性が、ＬＴＥ−ＡのＣＣに、以前のＬＴＥのバージョンの対応部分と等しいシステム帯域幅を採用することを要求し得る。このように、ピークの単一のＣＣのＬＴＥ−Ａシステム帯域幅は、ＬＴＥのＲＡＴ間の互換性のために、２０ＭＨｚを上限とされうる。しかしながら、様々なキャリアアグリゲーションのシナリオでは、ＬＴＥ−ＡのＣＣの集約されたセットは、１つ以上の割り当てられたＬＴＥスペクトル帯域を用いて、１００ＭＨｚまで（５ＣＣ×２０ＭＨｚ、最大のＬＴＥ規格のシステム帯域幅）の累積帯域幅を達成することができてもよい。
【００３１】
図３Ａは、集約される各ＣＣ３０２、３０４及び３０６が、同一のサービスプロバイダが指定したＤＬ周波数帯域（帯域Ａ）内において、それ自身の別個の周波数リソースＦ１、Ｆ２、又はＦ３と関連付けられている、帯域内連続ＣＣ周波数リソース図３００を描くキャリアアグリゲーションの表現を示している。いくつかの実施形態では、周波数リソースは、周波数キャリア、キャリア又は周波数チャネルとも呼ばれうる。帯域内連続ＣＣシナリオでは、３つの周波数リソースＦ１、Ｆ２及びＦ３は、周波数領域において帯域Ａ内で互いに隣接して位置する連続ＣＣ周波数である。図３Ｂは、集約される各ＣＣ３１２、３１４及び３１６が、単一のＤＬ周波数帯域（帯域Ａ）内において、それ自身の別個の周波数リソースＦ１、Ｆ２又はＦ３に関連付けられている、帯域内不連続ＣＣ周波数リソース図３１０を描くキャリアアグリゲーションの表現を示している。一方で、帯域内不連続ＣＣシナリオ３１０では、３つの周波数リソースＦ１、Ｆ２及びＦ３は、帯域Ａ内で、例えば周波数チャネルＦ２及びＦ３の分離によって図解されるように、周波数領域における１つ以上の挟まった周波数チャネルによって分離されるＣＣ周波数でありうる。図３Ｃは、集約される各ＣＣ３２２、３２４、及び３２６が、２つのサービスプロバイダが指定したＤＬ周波数帯域（帯域Ａ及び帯域Ｂ）にわたって広がって、それ自身の別個の周波数リソースＦ１、Ｆ２、又はＦ３と関連付けられている、帯域間不連続ＣＣ周波数リソース図３２０を描くキャリアアグリゲーションの表現を示している。帯域間不連続ＣＣシナリオでは、帯域Ａの周波数リソースＦ１及びＦ２は、周波数領域において帯域Ｂの周波数リソースＦ３から分離されたＣＣ周波数でありうる。例えば、３ＧＰＰのＬＴＥ−Ａリリース１１及び１２が様々な帯域間ＣＣ帯域ペアリングを含む、様々なキャリアアグリゲーションの強化を説明している一方で、ＬＴＥ−Ａリリース１０は、ＬＴＥのためのキャリアアグリゲーションを規定している。電気通信サービスプロバイダは、一般的に、同様の及び異なる、ラインセンスされたＬＴＥ周波数スペクトルバンドの両方を用いて動作することが理解されるべきである。例えば、米国内では、ＡＴ＆Ｔ（登録商標）のＬＴＥネットワークは、バンド１７、４及び３０を用いて、７００ＭＨｚ、１７００／２１００ＭＨｚ及び２３００ＭＨｚで動作する一方で、ベライゾン（登録商標）のＬＴＥネットワークは、バンド１３及び４を用いて、７００ＭＨｚ及び１７００／２１００ＭＨｚの周波数スペクトルで動作する。１つ以上のライセンスされた無線周波数帯域における無線周波数チャネルを用いたキャリアアグリゲーションを介した通信に加えて、無線ネットワークプロバイダは、ライセンスされた無線周波数帯域におけるプライマリコンポーネントキャリアを介した通信を、非ライセンス無線周波数帯域におけるセカンダリコンポーネントキャリアを用いて補うために、ライセンスされた無線周波数帯域と並行して非ライセンス無線周波数帯域における周波数リソースを用いた通信を提供することができる。
【００３２】
図３Ｄは、いくつかの実施形態による、非ライセンス無線周波数帯域における、無線ローカルエリアネットワーク（ＷＬＡＮ）システムによる使用のために利用可能な無線周波数チャネルのセットを示している。「クライアント」ＷＬＡＮ装置は、例えば無線ローカルエリアネットワーク通信プロトコルに従って無線ローカルエリアネットワーク（ＷＬＡＮ）技術を介して通信することができる任意の無線通信装置でありうる。いくつかの実施形態では、ＷＬＡＮ技術は、（いくつかの実施形態では無線機と呼ばれうる）Ｗｉ−Ｆｉ（登録商標）（又はより一般的にはＷＬＡＮ）無線通信サブシステムを含むことができ、Ｗｉ−Ｆｉ（登録商標）無線通信サブシステムは、ＩＥＥＥ８０２．１１ａ、ＩＥＥＥ８０２．１１ｂ、ＩＥＥＥ８０２．１１ｇ、ＩＥＥＥ８０２．１１−２００７、ＩＥＥＥ８０２．１１ｎ、ＩＥＥＥ８０２．１１−２０１２、ＩＥＥＥ８０２．１１ａｃ、又は他の既存の又は将来開発されるＩＥＥＥ８０２．１１技術の１つ以上などの、米国電気電子学会（ＩＥＥＥ）８０２．１１技術を実装し得る。８０２．１１Ｗｉ−Ｆｉ（登録商標）通信プロトコルのセットは、産業科学医療用（ＩＳＭ）無線周波数帯域、例えば２．４から２．５ＧＨｚ及び例えば約４．９から５．８ＧＨｚに及ぶ「５ＧＨｚ」の無線周波数帯域における無線周波数スペクトルの領域を利用する。「より高い」無線周波数帯域は、より多くの帯域幅とより高いデータレートとを提供する、より広い無線周波数チャネルを与えうる。「より低い」無線周波数帯域は、より低いパスロスに起因するより広いカバレッジエリア、したがってより大きい範囲を与えうる。通常、ＷＬＡＮクライアント装置およびＷＬＡＮアクセスポイントは、１つ又は複数の無線周波数帯域において動作する能力を提供する。追加の無線周波数帯域がＷＬＡＮ無線通信装置による将来の使用のために計画されており、例えば、超短波（ＶＨＦ）及び極超短波（ＵＨＦ）帯域、すなわち、６００ＭＨｚ付近であるテレビの「ホワイトスペース」周波数、及び、図３Ｄに図解されるように約２０ＭＨｚの無線周波数帯域幅にわたり得る５ＧＨｚの非ライセンス無線周波数帯域におけるＷＬＡＮクライアント装置及びＷＬＡＮアクセスポイントによって使用される、３．５ＧＨｚに近い周波数のものを含む、追加の無線周波数帯域を使用するための無線通信プロトコル標準が開発されている。さらに、ＷＬＡＮクライアント装置は、図３Ｅに示されるようにより広い無線周波数帯域幅のチャネルを提供するために、複数の２０ＭＨｚの無線周波数チャネルを共に用いることができる。このように、ＷＬＡＮクライアント装置は、２０ＭＨｚ幅の周波数チャネルのみならず、４０ＭＨｚ、８０ＭＨｚ、及び１６０ＭＨｚの少なくともいずれかの幅の無線周波数チャネルを使用し得る。より高い帯域幅の無線周波数チャネルは、より高いデータレートスループットを提供し得るが、それからの送信がＷＬＡＮ無線周波数チャネルの全部または一部とオーバーラップし得る他の無線システムから、より多くの無線周波数干渉の影響を受けうる。
【００３３】
図３Ｅの図３５０によって示されるように、無線周波数チャネルＦ５で動作すると共に約２０ＭＨｚの帯域幅を占めるＬＴＥ−Ｕセカンダリセル３５２は、非ライセンス無線周波数帯域の同一の周波数範囲において動作するＷＬＡＮシステムで使用される無線周波数スペクトルの全部または一部とオーバーラップしうる。例えば、ＬＴＥ−Ｕセカンダリセル３５２は、５ＧＨｚの非ライセンス無線周波数帯域において５．２４０ＧＨｚに中心がある周波数チャネルＣＨ４８と同じ周波数帯域を用いて動作し得る。ＬＴＥ−Ｕセカンダリセル３５２は、追加の周波数チャネルを使用するより広い帯域幅の周波数チャネルと部分的にオーバーラップし得る。オーバーラップしている無線周波数チャネルと同一の無線周波数帯域を用いる通信システム間の共存干渉を低減するために、セルラ無線ネットワークは、例えばここでさらに説明される時分割多重技術と周波数ホッピング技術との少なくともいずれかを通じて、非ライセンス無線周波数帯域の全部または一部を共有するための方法を含みうる。
【００３４】
図３Ｆは、セルラ無線ネットワークによって使用されうる５ＧＨｚの非ライセンス無線周波数帯域の一部にわたるＬＴＥ−Ｕ無線周波数チャネルの典型的なセットを含む図３６０を示している。いくつかの実施形態では、無線ネットワークプロバイダは、無線通信装置と、例えば、キャリアアグリゲーションのためにセカンダリコンポーネントキャリアを介して通信するように、ＬＴＥ−Ｕ無線周波数チャネルの１つ以上のセットを使用し得る。ライセンスされた無線周波数帯域におけるプライマリコンポーネントキャリア（不図示）が、キャリアアグリゲーションを提供するために、１つ以上のセカンダリコンポーネントキャリアと並行して使用されうる。プライマリコンポーネントキャリアは、非ライセンス無線周波数帯域におけるセカンダリコンポーネントキャリアをいつどのように使用するかを管理するために制御信号を供給するように使用されうる。いくつかの実施形態では、非ライセンス無線周波数帯域における１つのセカンダリコンポーネントキャリアのみが、ライセンスされた無線周波数帯域におけるプライマリコンポーネントキャリアと並行して使用される。いくつかの実施形態では、非ライセンス無線周波数帯域における複数のセカンダリコンポーネントキャリアが、同時に並行して、又は順番に連続して（又は周波数ホッピングの順で）、の少なくともいずれかによって使用されうる。いくつかの実施形態では、セルラ無線ネットワークは、異なる周波数チャネルの間で時間とともに変化するように、セカンダリコンポーネントキャリアが例えば周波数ホッピング手順を用いて動作し得る周波数チャネルのシリーズを表示し得る。図３Ｆは、非ライセンス無線周波数帯域、例えば非ラインセンス国家情報インフラストラクチャ（ＵＮＩＩ）周波数帯域の一部であるか非ライセンス無線周波数帯域とオーバーラップするかの少なくともいずれかでありうるＬＴＥ−Ｕ周波数帯域における、５つの異なる無線周波数チャネルの典型的なセットを示している。ＬＴＥ−Ｕ周波数帯域においてセルラ無線ネットワークによって使用される１つ以上の無線周波数チャネルは、少なくとも部分的に、ＵＮＩＩ周波数帯域における１つ以上の無線周波数チャネルとオーバーラップし得る。ＬＴＥ−Ｕ周波数帯域で使用される各無線周波数チャネルは、図３Ｆに示すように、異なる無線周波数キャリア値、例えば、５．７００ＧＨｚ、５．７５０ＧＨｚ、５．８００ＧＨｚ、５．８２０ＧＨｚ、又は５．８５０ＧＨｚを有する非ライセンスＥＵＴＲＡ絶対無線周波数チャネル番号（ｕｅＡＲＦＣＮ）によって参照されうる。当業者に理解されうるように、無線周波数チャネルのための値は、他の無線周波数キャリア値が使用するのに等しく適し得るため、示されたものと異なり得る。同様に、周波数ホッピングで使用される非ライセンス無線周波数帯域における無線周波数チャネルの数は変動する場合があり、すなわち、図３Ｆに示されるより少ない又は多い数を含みうる。一般的には、非ライセンス無線周波数帯域で使用される無線周波数チャネルは、オーバーラップしなくてもよく、いくつかの場合、例えば図３Ｆに示されるｕｅＡＲＦＣＮ０及びｕｅＡＲＦＣＮ１を用いるように互いに分離されてもよく、また、いくつかの場合、例えば図３Ｆに示されるｕｅＡＲＦＣＮ２及びｕｅＡＲＦＣＮ３を用いるように互いに隣接し得る。いくつかの実施形態では、ＬＴＥ−Ｕ周波数チャネル、例えばｕｅＡＲＦＣＮ０は、「非セルラ」無線通信装置によって使用される周波数チャネルと、例えばＵＮＩＩ−３周波数帯域として表示される周波数チャネルと、オーバーラップせずに分離されてもよい。ＬＴＥ−Ｕ周波数チャネルとＵＮＩＩ−３周波数チャネルとの間の十分な周波数の分離を用いて（また、ＬＴＥ−Ｕ周波数チャネルにおける伝送に対する「帯域外」電力の十分な減衰を以って）、ＬＴＥ−Ｕ周波数チャネル及びＵＮＩＩ−３周波数チャネルは、同時に並行して用いられうる。いくつかの実施形態では、ＬＴＥ−Ｕ周波数チャネル、例えばｕｅＡＲＦＣＮ１は、１つ以上のＵＮＩＩ−３周波数チャネル、例えば、ＣＨ１４０及びＣＨ１５３とオーバーラップする場合があり、そして、ＬＴＥ−Ｕ周波数チャネル及び１つ以上のＵＮＩＩ−３周波数チャネルを用いた同時の伝送は、同一であるかオーバーラップするかの少なくともいずれかである周波数チャネルを共有しようとする複数の無線通信装置の間で共存干渉をもたらし得る。いくつかの実施形態では、ＬＴＥ−Ｕ周波数チャネル、例えばｕｅＡＲＦＣＮ４は、ＵＮＩＩ−３周波数チャネル、例えばＣＨ１６５とは分離されるが隣接してもよく、ｕｅＡＲＦＣＮ４の周波数チャネルにおける伝送からの、「サイドバンド」の電力は、ＵＮＩＩ−３周波数帯域のチャネルＣＨ１６５における信号の受信との共存干渉をもたらしうる。
【００３５】
ＬＴＥ−Ｕ周波数帯域における周波数チャネルを用いた通信とＵＮＩＩ−３周波数帯域における周波数チャネルを用いた通信との間の干渉を軽減するために、セルラ無線ネットワークのネットワーク機器は、ＬＴＥ−Ｕ周波数帯域の周波数チャネを用いる無線通信装置による伝送を調整することができる。ある実施形態では、無線周波数チャネルのセットはＬＴＥ−Ｕ可能無線通信装置による周波数ホッピング系列に従って用いられ、周波数ホッピングシーケンスは、セルラ無線ネットワークのネットワーク機器によってＬＴＥ−Ｕ可能無線通信装置へ通信される１つ以上の制御メッセージによって特定される。ネットワーク機器は、様々な無線周波数における周波数チャネルの特定のセットを特定することができ、周波数チャネルの特定のセットに関連付けられた周波数ホッピングパターンをＬＴＥ−Ｕ可能無線通信装置へ伝えることができる。ネットワーク機器とＬＴＥ−Ｕ可能無線通信装置は、制御メッセージによって特定されるように、ＬＴＥ−Ｕ周波数帯域における異なる周波数チャネルの間で同期して「ホップする」ことができる。いくつかの実施形態では、ｅＮｏｄｅＢによって制御されると共にＬＴＥ−Ｕ無線通信プロトコルに従って動作する全てのＬＴＥ−Ｕ可能無線通信装置は、非ライセンス無線周波数帯域における１つ以上のセカンダリコンポーネントキャリアを用いる場合に、共通の無線周波数ホッピングパターンに従って様々な無線周波数チャネルを介して通信する（送信し又は受信する）ように構成されうる。このように、例えば共通のｅＮｏｄｅＢの制御下で動作する全てのＬＴＥ−Ｕ可能無線通信装置は、ＬＴＥ−Ｕ周波数帯域における様々な無線周波数チャネルの間で同期して変更することができ、ＬＴＥ−Ｕ周波数帯域における（及び並列の非ライセンス無線周波数帯域における）各無線周波数チャネルをある期間、ＬＴＥ−Ｕ準拠の無線通信装置による無線伝送がないままにすることができる。セルラ無線ネットワークのネットワーク機器は、ＬＴＥ−Ｕ可能無線通信装置の全ての間で、使用時に無線周波数チャネルを共用するために、例えば時分割、符号分割及び直交周波数分割多重の少なくともいずれかの組み合わせを用いて、セカンダリコンポーネントキャリアを用いた通信を調整することができる。ｅＮｏｄｅＢ（と、他の無線ネットワーク機器との少なくともいずれか）によるスケジューリング伝送は、ＬＴＥ−Ｕ可能無線通信装置間での非ライセンス無線周波数帯域の無線周波数チャネルの効果的な共用を与えうる。ＬＴＥ−Ｕ周波数帯域における各無線周波数チャネルは、１つ以上の制御メッセージにおいて特定される特定の関連付けられた周波数ホップ期間の間、ＬＴＥ−Ｕ可能無線通信装置（そして関連付けられたｅＮｏｄｅＢネットワーク機器）による使用に利用可能でありうる。いくつかの実施形態では、周波数ホップ期間は、システムフレーム番号（ＳＦＮ）カウンタに従う最大時間間隔を超えない期間に広がり得る。例えば、１０ビットのＬＴＥのＳＦＮに対して、ＳＦＮの各増分は、ＬＴＥ無線通信プロトコルによって特定される時間ユニット、例えば、フレーム又は送信時間間隔（ＴＴＩ）又は他のよく理解される期間に対応し得る。周波数ホップ時間期間は、ＳＦＮ値、例えば「絶対」時間値、を用いるかＳＦＮ増分の数によるかの少なくともいずれかによって特定されることができ、ｅＮｏｄｅＢは、次の周波数チャネルに同期してホップする各ＬＴＥ−Ｕ可能無線通信装置と共に、「次の」ホップのＳＦＮに対する値を用いてＬＴＥ−Ｕ周波数帯域におけるセカンダリコンポーネントキャリアを用いる無線通信装置を設定することができる。ｅＮｏｄｅＢは、現在の使用周波数チャネル、次の使用周波数チャネル、又は特定の周波数ホッピングパターンにおける使用無線周波数チャネルのセットとの少なくともいずれかを用いて、ＬＴＥ−Ｕ可能無線通信装置をも設定することができる。ｅＮｏｄｅＢは、周波数ホッピングパターンにおける各周波数チャネルに対する時間期間を特定することもできる。
【００３６】
ある実施形態では、無線通信装置が非ライセンス無線周波数帯域におけるセカンダリコンポーネントキャリアを用いて動作するように構成される場合、ｅＮｏｄｅＢは、動作すべき周波数チャネルを特定することができる。セカンダリセルは、ｅＮｏｄｅＢの制御下で、ｅＮｏｄｅＢによって特定される特定の時間期間に対する各周波数チャネルを用いて、周波数チャネルのセット間での周波数ホッピングパターンに従って使用する周波数チャネルを変更し得る。一般に、周波数チャネルホッピングパターンは、各周波数チャネルが使用される時間期間を含みうる。ｅＮｏｄｅＢは、「絶対」時刻とセカンダリコンポーネントキャリアを用いて非ライセンス無線周波数帯域で動作するように構成された無線通信装置のために使用されるべき周波数チャネルがある「次の」（すなわちそれに続くと共に直後の）周波数チャネルを特定し得る。「絶対」時刻は、カウンタ値、例えばＳＦＮ値を用いて特定されうる。いくつかの実施形態では、「絶対」時刻値は、周波数ホッピングパターンを開始するために使用されることができ、「相対的な」時刻値、例えばフレーム若しくは送信時間間隔の数又は他の認識されている時間ユニットは、無線通信装置（及びｅＮｏｄｅＢ）が周波数ホッピングパターンに従ってホップし得る各周波数チャネルに対する時間期間の区間を特定するために使用されうる。いくつかの実施形態では、ホッピングのための周波数および関連する時間値の周波数ホッピングパターンは、ｅＮｏｄｅＢによってＬＴＥ−Ｕ可能無線通信装置に対して、提供される。例えば、ｅＮｏｄｅＢは、関連するタイミング値｛６４、６４、１２８、６４、２５６｝と共に｛ｕｅＡＲＦＣＮ０、ｕｅＡＲＦＣＮ３、ｕｅＡＲＦＣＮ１、ｕｅＡＲＦＣＮ４、ｕｅＡＲＦＣＮ２｝のパターンを特定し得る。ある実施形態では、タイミング値は、認識される時間ユニット、例えば、ミリ秒、フレーム、送信時間間隔などを表し得る。周波数ホッピングパターンは、例えばＳＦＮ値によって特定される特定の時刻において初期周波数チャネルを用いて開始することができ、特定されたタイミング値に基づいて周波数ホッピングパターンに従って様々な周波数チャネルを通じて循環させ得る。周波数ホッピングのサイクルは、新しい周波数ホッピングパターンと既存の周波数ホッピングパターンへの変更との少なくともいずれかがｅＮｏｄｅＢによってＬＴＥ−Ｕ可能無線通信装置へ提供されるまで繰り返されうる。無線通信装置及びｅＮｏｄｅＢによるセカンダリコンポーネントキャリアでの伝送は、非ライセンス無線周波数帯域を用いるセカンダリセルにおけるセカンダリコンポーネントキャリアを有するｅＮｏｄｅＢ及び全てのＬＴＥ−Ｕ可能無線通信装置が特定の周波数ホッピングパターンに従って同期して次の周波数チャネルへ切り替えるように、特定の周波数ホッピングパターンに従って、例えば、無線通信装置におけるタイマとｅＮｏｄｅＢにおけるタイマとの少なくともいずれかの満了に基づいて、様々な周波数チャネル間で切り替えることができる。同時に異なる周波数チャネル間で切り替えを行うためにセカンダリコンポーネントキャリアにおいてｅＮｏｄｅＢ通信を全ての無線通信装置に同期させることにより、ＬＴＥ−Ｕ可能無線通信装置によって空けられた周波数チャネルの非ライセンス無線周波数スペクトルは、他の無線通信装置、例えばＷＬＡＮ（Ｗｉ−Ｆｉ（登録商標））装置による時間の期間、使用されうる。ｅＮｏｄｅＢの特定のセカンダリセルのためのセカンダリコンポーネントキャリアによって占められた任意のＷＬＡＮ（Ｗｉ−Ｆｉ（登録商標））無線周波数チャネルは、周波数ホッピングパターンに従って、特定の周波数チャネルに対するほぼ単一の時間期間の間連続して占められうる。周波数ホッピングパターンの残りの期間の全ての間、特定の無線周波数チャネルは、ＵＮＩＩ−３周波数帯域チャネル及びＬＴＥ−Ｕ周波数帯域チャネルによってカバーされるオーバーラップする周波数スペクトルに応じて）少なくとも部分的に占められなくてもよい。いくつかの実施形態では、例えば、ＷＬＡＮ（Ｗｉ−Ｆｉ（登録商標））装置が複数のＬＴＥ−Ｕ周波数帯域チャネルにわたり得る広い帯域幅のチャネルを用いる場合、周波数ホッピングパターンは、ＬＴＥ−Ｕ周波数チャネル及びＷＬＡＮ（Ｗｉ−Ｆｉ（登録商標））周波数チャネルにおける通信の間の共存干渉の「連続的な」又は長さ時間期間の確率を最小化するために、少なくとも可能な限り、ｅＮｏｄｅＢが利用可能な周波数チャネルのセット内で、好ましくは「広く離れた」周波数チャネルにホップし得る。いくつかの実施形態では、ｅＮｏｄｅＢは、それら自身の周波数ホッピングパターンをそれぞれが有する、ＬＴＥ−Ｕ周波数チャネルの様々なセットをそれぞれが使用する複数のセカンダリセルを提供し得る。いくつかの実施形態では、ｅＮｏｄｅＢは、ＬＴＥ−Ｕ周波数チャネルの共通のセットをそれぞれが使用するが、特定の周波数ホッピングパターンのための周波数チャネルの共通のセットの中のサブセットにホップするだけの複数のセカンダリセルを提供し得る。いくつかの実施形態では、ｅＮｏｄｅＢは、ＷＬＡＮ共存干渉が起こる可能性が高くありうるセットの周波数の検出に基づいて、例えば、ｅＮｏｄｅＢ及びｅＮｏｄｅＢと通信する無線通信装置の少なくともいずれかによる様々なスペクトル帯域の無線周波数測定に基づいて、周波数ホッピングパターンを選択し得る。ｅＮｏｄｅＢは、非ライセンス無線周波数帯域における非セルラ無線装置によって使用される無線周波数チャネルに干渉する「最小尤度」を有するＬＴＥ−Ｕ周波数帯域における無線周波数チャネルを選択し得る。いくつかの実施形態では、ｅＮｏｄｅＢは、使用されるＬＴＥ−Ｕ周波数チャネルのセット、使用される周波数ホッピングパターン、周波数ホッピングパターンの１つ以上のＬＴＥ−Ｕ周波数チャネルに対する時間期間、又はこれらの組み合わせを、使用されるＷＬＡＮ周波数チャネル（又は周波数帯域幅）の検出に基づいて、他のネットワーク要素からとＬＴＥ−Ｕ可能無線通信装置からとの少なくともいずれかから提供されるか取得されるかのいずれかである情報に基づいて、又はその両方に基づいて、適合させうる。
【００３７】
図３Ｇは、いくつかの実施形態による１つ以上のＬＴＥ−Ｕ可能無線通信装置及び非ライセンス無線周波数帯域を共有する他の非セルラ無線通信装置のセットの間で共存干渉を軽減するのに使用されうる時分割多重手法の図３７０を示している。（いくつかの実施形態では、セルラ無線サブシステム及びＷＬＡＮ無線サブシステムを含むマルチモード無線通信装置は、「非セルラ」モードで動作するように構成され、例えば、ＷＬＡＮを介して接続されうることができ、その場合、そのような設定されたマルチモード無線通信装置は、少なくともそのように設定される場合、例えばセルラ無線ネットワークにアクティブに接続されない場合に、「非セルラ」無線通信装置とみなされうる。）ここで説明されるように、無線ローカルエリアネットワーキング（ＷＬＡＮ）無線通信プロトコル、例えばＷｉ−Ｆｉ（登録商標）無線通信プロトコルに従って非ライセンス無線周波数帯域で動作する無線通信装置は、他の無線通信装置が無線周波数チャネルで送信していると判定されると、通信の試行及びランダム時間間隔に対する「バックオフ」の前に、無線周波数チャネルにおける無線周波数伝送の存在を「センスする」ランダムアクセス手順を用いることができる。例えば無線セルラネットワークによってキャリアアグリゲーションに使用されるセカンダリセルのセカンダリコンポーネントキャリアに関連付けられる無線周波数チャネルに対して、ＬＴＥ−Ｕ可能無線通信装置のセットが非ライセンス無線周波数帯域における１つ以上の無線周波数チャネルを用いた通信を送信し又は受信しない時間のギャップを与えるために、セカンダリセルのｅＮｏｄｅＢ及びセカンダリセルのセカンダリコンポーネントキャリアを用いる全ての無線通信装置は、例えば図３Ｇの図３７０によって示されるように、「アクティブ」期間３７２と「非アクティブ」期間３７４との間で交互に切り替えるように同期されうる。「アクティブ」期間３７２の間、ｅＮｏｄｅＢと１つ以上のＬＴＥ−Ｕ可能無線通信装置との少なくともいずれかは、非ライセンス無線周波数帯域で動作するセカンダリセルのセカンダリコンポーネントキャリアを介して送信または受信するようにスケジューリングされうる。ｅＮｏｄｅＢは、複数のＬＴＥ−Ｕ可能無線通信装置の伝送が互いにオーバーラップせずかつ干渉しないことを確実にするように、「アクティブ」期間３７２の間、送信をスケジューリングすることができる。しかしながら、「アクティブ」期間３７２の間、非ライセンス無線周波数帯域におけるセカンダリコンポーネントキャリアによって使用されるのと同一の周波数チャネルの少なくとも一部を共有する非セルラ無線通信装置の伝送は、非セルラ無線通信装置が直面する共存干渉のレベルに応じて、影響を受けうる。図３Ｇに示されるように、ｅＮｏｄｅＢを含む全てのＬＴＥ−Ｕ無線通信装置は、アクティブ期間３７２の間、セカンダリコンポーネントキャリアの周波数チャネルを共有することができ、非アクティブ期間３７４の間、黙る（すなわち、セカンダリコンポーネントキャリアの周波数チャネルを用いて送信せず又は受信しない）ことができる。ＬＴＥ−Ｕ可能無線通信装置のセットは、非セルラ無線通信装置、例えば、図２Ｄに示されるようにＷＬＡＮアクセスポイント２６４に接続された無線装置２６８が通信することができる「静かな」期間を与えるために、同一の期間の間、「オン」及び「オフ」となるように同期されうる。ｅＮｏｄｅＢは、非ライセンス無線周波数帯域の通信とは分離され、かつ干渉しないライセンスされた無線周波数帯域におけるプライマリコンポーネントキャリアを介して伝えられる制御メッセージを通じて、非ライセンス無線周波数帯域におけるセカンダリコンポーネントキャリアをどのように、いつ使用するかをスケジューリングすると共に伝えることができる。セカンダリセルにおいてセカンダリコンポーネントキャリアを使用するように構成されるＬＴＥ−Ｕ可能無線通信装置は、ライセンスされた無線周波数帯域におけるプライマリコンポーネントキャリアを通じて関連するｅＮｏｄｅＢと接続されるだろうし、プライマリコンポーネントキャリアは、非ライセンス無線周波数帯域におけるセカンダリコンポーネントキャリアに対して図３で示される時間に基づく共有に制約されなくてもよい。いくつかの実施形態では、ｅＮｏｄｅＢによって制御されると共に非ライセンス無線周波数帯域で動作する全てのセカンダリセルは、時間共有の制約を受けうるし、セカンダリセルにおけるセカンダリコンポーネントキャリアを用いる全てのＬＴＥ−Ｕ可能無線通信装置は、共通のスケジュールに従って時間共有の影響を受け、すなわち、非アクティブ期間３７４の間同時に黙り、アクティブ期間３７２の間、（ｅＮｏｄｅＢによって示されるように）通信するようにスケジューリングされうる。いくつかの実施形態では、ｅＮｏｄｅＢは、セカンダリセルが非ライセンス無線周波数帯域で動作するとともに時間共有の影響を受けることを、例えば無線リソース制御（ＲＲＣ）レイヤの制御メッセージを用いて、ＬＴＥ−Ｕ可能無線通信装置に知らせる。いくつかの実施形態では、専用のセカンダリセルと共通のセカンダリセルとの少なくともいずれかに用いられる制御コマンド、例えば、ｒａｄｉｏＲｅｓｏｕｒｃｅＣｏｎｆｉｇＤｅｄｉｃａｔｅｄＳＣｅｌｌコマンドとｒａｄｉｏＲｅｓｏｕｒｃｅＣｏｎｆｉｇＣｏｍｍｏｎＳＣｅｌｌコマンドとの少なくともいずれかが、非ライセンス無線周波数帯域の無線周波数チャネルについての情報を提供し得る、フィールド、情報要素または他の指定されたブロックを含むことができる。いくつかの実施形態では、ｅＮｏｄｅＢは、１つ以上のＬＴＥ−Ｕ可能無線通信装置と共に用いられるＬＴＥ−Ｕセカンダリセルを、媒体アクセス制御（ＭＡＣ）制御エレメントを用いて、起動し、停止することができる。ｅＮｏｄｅＢは、タイマのセットと開始時刻とを用いて、例えばＳＦＮ値を用いて、各ＬＴＥ−Ｕセカンダリセルを設定することができる。いくつかの実施形態では、ＳＦＮタイマによって特定される「絶対」時刻のセットが、ＬＴＥ−Ｕセカンダリセルに対して、いつ「オン」サイクルが生じうるかといつ「オフ」サイクルが生じうるかの少なくともいずれかを表示し得る。いくつかの実施形態では、ＳＦＮタイマ値は、「オン」サイクルの開始と「オフ」サイクルの開始との表示との少なくともいずれかを提供することができ、他のインジケータのセットは、「オン」サイクルの長さと「オフ」サイクルの長さとの少なくともいずれかを提供し得る。いくつかの実施形態では、ｅＮｏｄｅＢ及びＬＴＥ−Ｕ可能無線通信装置は、セカンダリセルに対するＬＴＥ−Ｕのオン時間の、すなわち、図３Ｇに示されるアクティブ期間３７２の開始の表示と、セカンダリセルに対するＬＴＥ−Ｕのオフ時刻の、すなわち、非アクティブ期間３７４の開始の表示と、を与えうる１つ以上のタイマを維持し得る。ＬＴＥ−Ｕ可能無線通信装置は、非アクティブ期間の間、プライマリセルのプライマリコンポーネントキャリアを用いてｅＮｏｄｅＢと通信することができ、アクティブ期間の間、ライセンスされた無線周波数帯域におけるプライマリコンポーネントキャリアと非ライセンス無線周波数帯域におけるＬＴＥ−Ｕセカンダリコンポーネントキャリアとの組み合わせを用いて通信することができる。図３Ｇに示されるオン／オフサイクルは、特定のｅＮｏｄｅＢに対する全てのセカンダリセルに、特定のｅＮｏｄｅＢに対する特定のセカンダリセルに、特定の地理的領域内の非ライセンス無線周波数帯域における任意のセカンダリセルに、非ライセンス無線周波数帯域におけるセカンダリセルのセットに、非ライセンス無線周波数帯域における共通の周波数チャネルを共用するセカンダリセルのセットに、非ライセンス無線周波数帯域における共通の周波数チャネルのセット（例えば周波数ホッピングパターンで使用される非ライセンス無線周波数帯域の周波数チャネルのセット）を共用するセカンダリセルのセットに、又は、１つ以上のセカンダリセルに対応し得るｅＮｏｄｅＢによって特定された特定の周波数チャネル又は周波数チャネルのセットに、適用されうる。ｅＮｏｄｅＢは、非ライセンス無線周波数帯域における無線周波数チャネルの使用を、例えば時刻、曜日によって、負荷状態に基づいて、測定されたか報告されたかの少なくともいずれかの干渉レベルに基づいて、又は無線周波数干渉とネットワーク動作状態との少なくともいずれかに対する他の性能メトリックに基づいて、動的に管理し得る。いくつかの実施形態では、非アクティブ期間３７４は、ＷＬＡＮ（Ｗｉ−Ｆｉ（登録商標））無線通信装置にとって、無線周波数チャネルの利用可能性をセンスしてＷＬＡＮ（Ｗｉ−Ｆｉ（登録商標））無線通信プロトコルに従う１つ以上の無線パケットの送信を成功するのに十分な時間にわたり得る。ある実施形態では、非アクティブ期間は、少なくとも２０ミリ秒である。他の実施形態では、日アクティブ期間は、少なくとも４０ミリ秒である。いくつかの実施形態では、非アクティブ期間の長さとアクティブ期間の長さとの少なくともいずれかは、ｅＮｏｄｅＢ又はセルラ無線ネットワークの他のネットワーク機器によって動的に決定される。
【００３８】
セルラ無線ネットワークは、ライセンスされた無線周波数帯域における無線周波数チャネルに加えて、非ライセンス無線周波数帯域における無線周波数チャネルの管理を提供するためのアクセスネットワーク発見及び選択機能（ＡＮＤＳＦ）ポリシオブジェクトのセットを使用することができる。いくつかの実施形態では、既存のＡＮＤＳＦポリシオブジェクトが、セルと非ライセンス無線周波数帯域における周波数チャネルとの少なくともいずれかの特性を特定するためのフィールドを含むように拡張されうる。ＡＮＤＳＦポリシは、ＬＴＥ／ＬＴＥ−Ａセルラ無線ネットワークのエボルブドパケットコア（ＥＰＣ）内における１つ以上のネットワーク機器エンティティによって管理と制御との少なくともいずれかをされうる。ＡＮＤＳＦポリシは、機能を提供することができ、その機能によって、無線通信装置は、いくつかの実施形態では非３ＧＰＰ無線アクセスネットワーク、例えばＷＬＡＮを含む通信のためのアクセスネットワークを発見して選択することができる。無線通信装置は、Ｉｎｔｅｒｓｙｓｔｅｍ  Ｍｏｂｉｌｉｔｙ  Ｐｏｌｉｃｙ（ＩＳＭＰ）及びＩｎｔｅｒｓｙｓｔｅｍ  Ｒｏｕｔｉｎｇ  Ｐｏｌｉｃｙ（ＩＳＲＰ）に従って「システム間」モビリティの動作及び「システム間」ルーティングの動作を与えうるＡＮＤＳＦポリシエレメントを含めることができる。無線通信装置は、ＩＳＭＰ及びＩＳＲＰルールを用いて、異なる無線ネットワーク間の再選択、例えば、セルラ無線ネットワークと非セルラ無線ネットワークとの間の接続の転送と、セルラ無線ネットワークと非セルラ無線ネットワークとの間の通信の全部または一部のオフロードと、の少なくともいずれかを行うことができる。ＡＮＤＳＦポリシルールは、無線ネットワーク事業者によって、オープンモバイルアライアンス（ＯＭＡ）のデバイス管理（ＤＭ）プロトコルを用いる無線通信装置へプロビジョニングされうる。ＯＭＡ−ＤＭプロトコルは、プロビジョニングと、設定と、特徴の有効化と、特徴の無効化と、装置のアップグレードと、障害検出と、障害報告と、他の無線通信装置の管理機能との少なくともいずれかを与えうる。いくつかの実施形態では、ＩＳＭＰは、一時に、例えばＬＴＥ／ＬＴＥ−Ａセルラ無線ネットワークまたは非セルラ、例えばＷＬＡＮ／Ｗｉ−Ｆｉ（登録商標）無線ネットワークへの１つ以下のアクティブなネットワーク接続を有することができる無線通信装置のためのネットワーク選択ルールを定義する。ＩＳＭＰルールは、ＬＴＥ／ＬＴＥ−Ａセルラ無線ネットワークと非セルラ無線ネットワークとの間の、例えばいずれかの方向における無線通信装置の接続を移動する「モビリティ」を与えることができる。ＩＳＲＰルールは、例えば、ＬＴＥ／ＬＴＥ−Ａセルラ無線ネットワーク及び非セルラＷＬＡＮ／Ｗｉ−Ｆｉ無線ネットワークへの、複数のアクティブネットワーク接続を同時にサポートし得る無線通信装置によるネットワーク選択を与えうる。いくつかの実施形態において、ＩＳＲＰルールは、セルラ無線ネットワークから非セルラ無線ネットワークへのデータ通信の「オフローディング」を与えうる。
【００３９】
ＩＳＭＰに対するＡＮＤＳＦモビリティオブジェクトポリシの拡張は、ネットワーク機器と無線通信装置との少なくともいずれかによってネットワーク選択／再選択に関連付けられた動作を決定するために用いられうる、１つ以上のセルにおける干渉レベルと、セル若しくはアクセスネットワークノード（例えばｅＮｏｄｅＢ）又はその両方に対する負荷と、の少なくともいずれかについての情報を含みうる。例えば、ＩＳＭＰルールは、非ライセンス無線周波数帯域を使用する１つ以上の異なるセルに対するセル識別子（セルＩＤ）に関する情報を含む１つ以上のポリシに追加されうる。また、ＩＳＭＰポリシは、１つ以上のセカンダリセルによってＬＴＥ−Ｕ通信に使用される非ライセンス無線周波数チャネルにおいての、非ライセンス無線周波数帯域の全域又は非ライセンス無線周波数帯域の一部にわたっての、の少なくともいずれかの干渉のレベルについての情報を含むように拡張されてもよい。ＩＳＭＰポリシは、ＷＬＡＮ（Ｗｉ−Ｆｉ（登録商標））通信に使用される、非ライセンス無線周波数チャネルにおいての、非ライセンス無線周波数帯域の全域又は非ライセンス無線周波数帯域の一部にわたっての、の少なくともいずれかの干渉のレベルについての情報を含むように拡張されてもよい。ポリシルールは、ＬＴＥ−Ｕ干渉レベルとＷＬＡＮ（Ｗｉ−Ｆｉ（登録商標））干渉レベルとの少なくともいずれかを考慮したＷＬＡＮ再選択を与えるように拡張されてもよい。いくつかの実施形態では、セルラ無線ネットワークからＷＬＡＮへの再選択のための再選択ルールは、ＷＬＡＮチャネルによって共有される無線周波数チャネルにおけるＬＴＥ−Ｕ干渉のレベルを含むことができる。ＬＴＥ−Ｕ干渉がＷＬＡＮチャネルにおいて高い場合、例えば無線ネットワークプロバイダにより配置されたＬＴＥ−Ｕチャネルは管理された又は管理されていないＷＬＡＮに干渉する場合があり、無線通信装置は、ポリシルールを用いて、１つ以上のＷＬＡＮへの再選択を行わないように指示されうる。いくつかの実施形態では、再選択ルールとオフローディングルールとの少なくともいずれかは、既存のＷＬＡＮの干渉とＬＴＥ−Ｕの負荷との少なくともいずれかを考慮し、ＷＬＡＮの干渉レベルが高いか、ＬＴＥ−Ｕ負荷レベルが高いか、又はその両方である場合、ｅＮｏｄｅＢは、１つ以上の無線通信装置の通信を、セルラ無線ネットワークからＬＴＥ−Ｕ無線ネットワークまたはＷＬＡＮへオフロードしないように構成されうる。いくつかの実施形態では、ＬＴＥ−Ｕ干渉レベルは、セルラ無線ネットワークのアクセス部分におけるネットワーク機器、例えばｅＮｏｄｅＢによってか、セルラ無線ネットワークのｅＮｏｄｅＢへ報告を行う無線通信装置によってか、の少なくともいずれかによって、測定されうる。同様に、ＷＬＡＮ干渉は、興味の対象となる１つ以上のＬＴＥ−Ｕ無線周波数チャネルに対して測定されうる。ｅＮｏｄｅＢは、セルラ無線ネットワークにおけるＬＴＥ−Ｕの負荷（すなわち、ｅＮｏｄｅＢにより１つ以上のセカンダリセルのために使用される非ライセンス無線周波数帯域における無線周波数チャネルの負荷）の追跡を維持することもできる。いくつかの実施形態では、新しい無線アクセス技術の「行き先」が、１つ以上のＲＲＣルールで示される行き先のリストの１つとして、ＬＴＥ−Ｕ（ＬＴＥ−アンライセンスド）のＲＡＴを特定するために付加されうる。ＬＴＥ−Ｕ干渉、ＷＬＡＮ干渉、ＬＴＥ−Ｕ負荷、ＬＴＥ−ＵのＲＡＴの行き先、又はＬＴＥ−Ｕセル識別子の少なくともいずれかのためのパラメータは、（例えばＲＲＣ接続を介した）１つ以上の個別の制御メッセージ若しくはシステム情報ブロック（ＳＩＢ）メッセージ又はその両方を用いて、ｅＮｏｄｅＢによって無線通信装置へ提供されうる。いくつかの実施形態では、非ライセンス無線周波数チャネルと非ライセンス無線周波数帯域との少なくともいずれかにおける干渉（ＬＴＥ−ＵとＷＬＡＮとの少なくともいずれか）の、既存のレベル、現在のレベル、過去のレベル、予測されたレベル、又は推定されたレベルの少なくともいずれかについての情報は、ｅＮｏｄｅＢによって無線通信装置へ与えられてもよいし、無線通信装置によって測定されてｅＮｏｄｅＢへ提供されてもよいし、その両方であってもよい。いくつかの実施形態では、ｅＮｏｄｅＢは、例えばＷＬＡＮ伝送とＬＴＥ−Ｕ伝送との少なくともいずれかからの干渉レベルを測定することができ、無線通信装置にその情報を提供することができる。いくつかの実施形態では、ｅＮｏｄｅＢは、１つ以上の無線通信装置に対して、１つ以上の非ライセンス無線周波数帯域における１つ以上の無線周波数チャネルでの干渉レベルを測定するための設定情報を提供することができる。いくつかの実施形態では、無線通信装置は、ｅＮｏｄｅＢが「管理された」ＷＬＡＮ展開と「スケジューリングされた」ＬＴＥ−Ｕセカンダリセルとの少なくともいずれかのために用いることを計画している、非ライセンス無線周波数帯域におけるＷＬＡＮ無線周波数チャネルのリストを受信することができる。ＬＴＥ−Ｕ可能無線通信装置は、ｅＮｏｄｅＢによって特定された１つ以上の非ライセンス無線周波数帯域の無線周波数チャネルにおける干渉レベルを、例えば他の無線ネットワークプロバイダから、ＷＬＡＮアクセスポイントから、ＷＬＡＮクライアント装置から、又は非ライセンス無線周波数帯域を共用し得る無線ネットワークプロバイダの他のオーバーラップしているセルからの干渉レベルを、測定することができる。ＬＴＥ−Ｕ可能無線通信装置は、ｅＮｏｄｅＢへ測定された干渉情報の全部または一部を提供することができる。いくつかの実施形態では、ＬＴＥ−Ｕ可能無線通信装置は、ＷＬＡＮ送受信器によって見ることができる非ライセンス無線周波数帯域の無線周波数チャネルにおける干渉を測定するのに使用されうる（送受信器を含む）ＷＬＡＮ無線サブシステムを含み、ＷＬＡＮ送受信器送受信器からの測定された干渉情報は、ＬＴＥ−Ｕ可能無線通信装置のセルラ無線サブシステムによって、ｅＮｏｄｅＢへ提供されうる。
【００４０】
例えばＩＳＲＰで特定される、オフローディングのためのＡＮＤＳＦポリシオブジェクトは、ＬＴＥ−Ｕ可能無線通信装置へ拡張するオフローディングのためのルールを含みうる。いくつかの実施形態では、無線ネットワークの設定と状態との少なくともいずれか、例えば使用されている周波数帯域、使用されている周波数チャネルなどについての特定の補助情報を含むオフローディングルールが、セルラ無線ネットワークによって無線通信装置へ提供されうる。いくつかの実施形態では、ＬＴＥ−Ｕ可能無線通信装置は、ＷＬＡＮへの再選択とＷＬＡＮへのオフローディングとの少なくともいずれかが完遂されうるかを、ネットワークが提供した補助情報を用いて判定し得る。ＬＴＥ−Ｕ可能無線通信装置は、セルラ無線ネットワークによって提供された１つ以上のルールと併せて、ネットワーク情報に基づくと共に、無線通信装置によって実行されるか無線通信装置に提供されるかの少なくともいずれかの測定結果に基づいて、再選択とオフローディングとの少なくともいずれかについて決定することができる。いくつかの実施形態では、ＬＴＥ−Ｕ可能無線通信装置は、それぞれが別個に又は並行して使用されうるＬＴＥ無線サブシステム及びＷＬＡＮ無線サブシステムを含む。いくつかの実施形態では、ＬＴＥ−Ｕ可能無線通信装置は、ネットワーク再選択とネットワークオフローディングとの少なくともいずれかを行うかを決定するために、ＬＴＥ無線サブシステムとＷＬＡＮ無線サブシステムとの少なくともいずれかから、非ライセンス無線周波数帯域における１つ以上の無線周波数チャネルにわたるものを含む、動作状態についての情報を取得し得る。例えば、ＷＬＡＮ無線サブシステムは、ＷＬＡＮ無線通信プロトコルを用いた通信の観点からのＷＬＡＮの状態についての情報を、ＬＴＥ無線サブシステムへ提供し得る。ＬＴＥ無線サブシステムは、ＬＴＥ無線サブシステム再選択動作とオフローディング動作との少なくともいずれかを決定するために、実行する情報（例えば測定結果）と併せて、ＷＬＡＮ無線サブシステムが提供した情報を用いることができる。いくつかの実施形態では、無線通信装置は、情報（例えば、ＬＴＥ無線サブシステムとＷＬＡＮ無線サブシステムとの少なくともいずれかからの測定結果）をｅＮｏｄｅＢ（又は他の同等のアクセスネットワーク機器）へ提供し、ｅＮｏｄｅＢは、セルラ無線ネットワーク及びＷＬＡＮネットワークの間での再選択とオフローディングとの少なくともいずれかについて決定を行う。ｅＮｏｄｅＢは、ある無線通信装置のため再選択とオフローディングとの少なくともいずれかの決定を通知するために、セカンダリセルにおけるセカンダリコンポーネントキャリアを介して通信することが可能な複数の無線通信装置によって提供された情報を用いることができる（すなわち、ｅＮｏｄｅＢは無線通信装置への方向での得られない情報を入手することができる）。いくつかの実施形態では、ＩＳＲＰは、ＬＴＥ−Ｕ周波数チャネル又は周波数帯域における干渉レベル、ＷＬＡＮ周波数チャネル又は周波数帯域における干渉レベル、及び、ＬＴＥ−Ｕ周波数チャネル又は周波数帯域におけるネットワーク機器負荷についての情報を含むように拡張されうる。いくつかの実施形態では、ＩＳＲＰの拡張は、いくつかの異なるサービスタイプのそれぞれ、例えば、「フローに基づく」ルーティングと、「サービスに基づく」ルーティングと、「非シームレスな」オフローディングと、の少なくともいずれかに対して、ＬＴＥ−ＵインタフェースとＷＬＡＮインタフェースとＬＴＥ−Ｕ負荷との少なくともいずれかについての特定の情報を含みうる。干渉と負荷との少なくともいずれかの各タイプに対する情報は、ＡＮＤＳＦのＩＳＲＰに対する、異なるフロールーティングタイプとオフローディングタイプとの少なくともいずれかに対して提供されうる。
【００４１】
図４Ａは、いくつかの例示の実施形態による、ＬＴＥ−Ｕ可能無線通信装置に実装されうる装置４００のブロック図を示している。成分、図４Ａに示されると共に図４Ａに関して説明される装置又は要素は必須ではない場合があり、したがって、いくつかが所定の実施形態で省略されうることが理解されるだろう。また、いくつかの実施形態は、図４Ａに示されると共に図４Ａに関して説明されるものを超えて、さらなる成分、装置又は要素を含みうる。さらに、いくつかの例示の実施形態では、装置４００の１つ以上の成分が、ライセンスされた無線周波数帯域におけるプライマリコンポーネントキャリアと非ライセンス無線周波数帯域におけるセカンダリコンポーネントキャリアとを介したキャリアアグリゲーションを含む複数の無線周波数帯域を用いて動作するためのＬＴＥ−Ｕ可能無線通信装置の機能を、共同で提供し得る複数のコンピューティング装置にわたって分散されうることが理解されるだろう。装置４００は、ライセンスされた無線周波数帯域及び非ライセンス無線周波数帯域での同時の通信の管理を提供し得る。また、装置４００は、セルラ無線ネットワークと非セルラ無線ネットワークとの間での再選択とオフローディングとの少なくともいずれかを与えることができる。装置４００は、さらに、同一の非ライセンス無線周波数帯域を共用するように構成されたＬＴＥ−Ｕ可能無線通信装置と他の「非セルラ」無線通信装置との間での、非ライセンス無線周波数帯域における周波数チャネル（と周波数帯域幅との少なくともいずれか）の時間共有を提供し得る。装置４００は、さらに、セルラ無線ネットワークのネットワーク機器によって提供される情報に従って、複数の周波数チャネル間での周波数ホッピングを提供し得る。
【００４２】
いくつかの例示の実施形態では、装置４００は、ここで説明される１つ以上の例示の実施形態に従った動作を実行するように構成可能な処理回路４１０を含みうる。この点で、処理回路４１０は、様々な例示の実施形態に従って、装置４００の１つ以上の機能を実行することとその実行を制御することとの少なくともいずれかを行うように構成されることができ、様々な例示の実施形態に従って、装置４００の機能を実行する手段を提供し得る。処理回路４１０は、１つ以上の例示の実施形態に従って、データ処理サービスと、アプリケーションの実行サービスと、他の処理及び管理サービスと、の少なくともいずれかを実行するように構成されうる。
【００４３】
いくつかの実施形態では、装置４００又は処理回路４１０などのその部分若しくは成分は、１つ以上のチップをそれぞれが含む、１つ以上のチップセットを含みうる。したがって、処理回路４１０と、装置４００の１つ以上の他のさらなる成分との少なくともいずれかは、いくつかの例において、１つ以上のチップを含むチップセット上に、実施形態を実装するように構成されうる。装置４００の１つ以上の成分がチップセットとして具現化されるいくつかの例示の実施形態では、そのチップセットは、コンピューティング装置に実装され、又はそうでなければコンピューティング装置に動作可能なように接続される場合に、ライセンスされた無線周波数帯域及び非ライセンス無線周波数帯域にわたるキャリアアグリゲーションを用いて、ライセンスされた無線周波数帯域における無線周波数チャネルと共に非ライセンス無線周波数帯域における無線周波数チャネルを用いて動作するＬＴＥ−Ｕ可能無線通信装置として、そのコンピューティング装置が動作することを可能とすることができうる。いくつかの実施形態では、処理回路４１０は、プロセッサ４０２を含むことができ、いくつかの実施形態では、図４Ａに示されるもののように、メモリ４０４をさらに含むことができる。処理回路４１０は、セルラベースバンドプロセッサ４１４を含みうるセルラ無線サブシステム４０８と、ＷＬＡＮベースバンドプロセッサ４１６を含みうるＷＬＡＮ無線サブシステム４１２とを含む複数の無線サブシステムと通信することができ、又はその複数の無線サブシステムを制御することができる。また、処理回路４１０は、セルラ無線サブシステム４０８とＷＬＡＮ無線サブシステム４１２とを用いて接続を管理するために、ルールと動作との少なくともいずれかを提供し得るデュアル無線マネージャ４０６と通信することができる。
【００４４】
プロセッサ４０２は、様々な形態で具現化されうる。例えば、プロセッサ４０２は、マイクロプロセッサ、コプロセッサ、コントローラ、または例えばＡＳＩＣ（特定用途向け集積回路）、ＦＰＧＡ（フィールドプログラマブルゲートウェイ）、それらのいくつかの組み合わせなどのような、集積回路を含む様々な他のコンピューティング若しくは処理装置など、様々な処理ハードウェアに基づく手段として具現化されうる。プロセッサ４０２は、単一のプロセッサとして図解されているが、複数のプロセッサを含みうることが理解されるだろう。複数のプロセッサは、互いに動作通信することができると共に、ここで説明される装置４００の１つ以上の機能を実行するように共同で構成されうる。複数のプロセッサを含む実施形態では、その複数のプロセッサは、単一のコンピューティング装置に実装されてもよいし、ＬＴＥ−Ｕ可能無線通信装置の機能を共同で提供し得る複数のコンピューティング装置にわたって分散されてもよい。いくつかの例示の実施形態では、プロセッサ４０２は、メモリ４０４に記憶されることができ、又は、プロセッサ４０２が利用できうる命令を実行するように構成されうる。このように、ハードウェアによって構成されても、ハードウェアとソフトウェアとの組み合わせによって構成されても、プロセッサ４０２は、適宜構成されながら、様々な実施形態に従った操作を実行することができうる。
【００４５】
いくつかの例示の実施形態では、メモリ４０４は１つ以上のメモリデバイスを含みうる。メモリ４０４は、固定であるか取り外し可能であるかの少なくともいずれかのメモリデバイスを含みうる。いくつかの実施形態では、メモリ４０４は、プロセッサ４０２によって実行されうるコンピュータプログラム命令を記憶することができる非一時的コンピュータ可読記憶媒体を提供しうる。この点で、メモリ４０４は、装置４００が１つ以上の例示の実施形態に従って様々な機能を実行することができるようにするための情報、データ、アプリケーション、命令などを記憶するように構成されうる。複数のメモリデバイスを含む実施形態では、その複数のメモリデバイスは、単一のコンピューティング装置に実装されてもよいし、ＬＴＥ−Ｕ可能無線通信装置の機能を共同で提供し得る複数のコンピューティング装置にわたって分散されてもよい。いくつかの実施形態では、メモリ４０４は、装置４００の成分間で情報を受け渡すためのバスを介して、プロセッサ４０２、デュアル無線マネージャモジュール４０６、セルラ無線サブシステム４０８、又は、ＷＬＡＮ無線サブシステム４１２の少なくともいずれかのうちの１つ以上と通信することができる。
【００４６】
装置４００は、さらに、複数の無線サブシステム、例えば、セルラ無線サブシステム４０８及びＷＬＡＮ無線サブシステム４１２を含みうる。無線サブシステム４０８／４１２は、他の無線通信装置と無線ネットワークとの少なくともいずれかとの通信を可能とするための１つ以上の機構を含みうる。例えば、ＷＬＡＮ無線サブシステム４１２は、装置４００がＷＬＡＮを介して通信することを可能とするように構成されうる。装置４００は、無線通信プロトコルに従った通信をそれぞれが提供し得る複数の無線サブシステムを含むことができる。いくつかの実施形態では、装置４００の複数の無線サブシステム、例えばセルラ無線サブシステム４０８及びＷＬＡＮ無線サブシステム４１２は、通信パス４１８を介して直接、又は、処理回路４１０との通信を通じて間接的に、互いに通信することができる。
【００４７】
装置４００は、さらに、デュアル無線マネージャモジュール４０６を含みうる。デュアル無線マネージャモジュール４０６は、回路、ハードウェア、非一時的コンピュータ可読媒体（例えばメモリ４０４）に記憶されると共に処理装置（例えばプロセッサ４０２）によって実行可能なコンピュータ可読プログラム命令を含むコンピュータプログラム製品、又はそれらのいくつかの組み合わせなどの、様々な手段として具現化されうる。いくつかの実施形態では、プロセッサ４０２（又は処理回路４１０）は、デュアル無線マネージャモジュール４０６を含むか、そうでなければ制御することができる。デュアル無線マネージャモジュール４０６は、キャリアアグリゲーションを介してライセンスされた無線周波数帯域チャネルと非ライセンス無線周波数帯域チャネルとを共に用いる通信を含むがそれに限定されない、複数の無線通信プロトコルか複数の無線周波数帯域を用いた通信をサポートするある無線通信プロトコルかの少なくともいずれかを用いた無線通信をサポートするように構成されうる。また、デュアル無線マネージャモジュール４０６は、例えば複数の無線サブシステム４０８／４１２間の共存干渉、若しくは非ライセンス無線周波数帯域を共用する他の無線通信装置との共存干渉、又はその両方の共存干渉を軽減するために、複数の無線サブシステム４０８／４１２を用いた通信の管理を提供するように構成されうる。
【００４８】
図４Ｂは、１つ以上のプロセッサ４０２及びメモリ４０４を有する処理回路４１０、セルラベースバンドプロセッサ４１４を有するセルラ無線サブシステム４０８、１つ以上の送受信器４４８、及びＲＦアナログフロントエンド回路のセット４４６を含む無線通信装置（例えばＵＥ１０６、ＬＴＥ準拠のＵＥ２０４／２０８、ＬＴＥ−Ａ準拠のＵＥ２０６、ＬＴＥ−Ｕ準拠のＵＥ２５２）の成分のブロック図４５０を示している。セルラ無線サブシステム４０８は、１つ以上のアンテナのセット、例えば、プライマリアンテナ４３８及びダイバーシティアンテナ４４０を含む、サポートＲＦ回路、例えばプライマリＲＦのＴｘ／Ｒｘ１  ４４２成分ブロック及びダイバーシティＲＦのＲｘ２  ４４４成分ブロックと相互接続されうるＲＦフロントエンド４３６を含みうる。プライマリＲＦのＴｘ／Ｒｘ１  ４４２成分ブロックは、対応するアンテナを介した、例えばプライマリアンテナ４３８、ダイバーシティアンテナ４４０、又はプライマリアンテナ４３８とダイバーシティアンテナ４４０との両方を介した、アナログ信号の送信と受信との少なくともいずれかに整合するように「チューンされ」うるフィルタ及び他のアナログ成分を含みうる。いくつかの実施形態では、ＲＦフロントエンド４３６は、プロセッサ４０２／４１４から直接、又は、セルラ無線サブシステム４０８における他の成分を介して間接的に、セルラベースバンドプロセッサ４１４と処理回路４０２との少なくともいずれかから伝えられた信号（例えばデジタル制御信号）によって制御されうる。
【００４９】
処理回路４１０とセルラベースバンドプロセッサ４１４との少なくともいずれかは、様々な実装に従って、無線通信装置の１つ以上の機能を実行するか、実行を制御するかのいずれかを行うように構成されうる。処理回路４１０とセルラ無線サブシステム４０８における処理回路との少なくともいずれかは、１つ以上の実施形態に従って、例えば、プロセッサ４０２とセルラベースバンドプロセッサ４１４との少なくともいずれかにおいて命令を実行することにより、ライセンスされた無線周波数帯域及び非ライセンス無線周波数帯域の両方にわたるキャリアアグリゲーションを介して複数のコンポーネントキャリアを用いて通信するように、セルラ無線サブシステムを操作するための機能を提供し得る。この点で、処理回路４１０とセルラベースバンドプロセッサ４１４との少なくともいずれかは、様々な実施形態にしたがって、無線通信装置の１つ以上の機能を実行するか実行の制御の少なくともいずれかを行うように構成されることができ、したがって、非ライセンス無線周波数帯域及びライセンスされた無線周波数帯域を並行して用いたキャリアアグリゲーションに従う機能操作を提供し得る。処理回路４１０は、さらに、本開示の１つ以上の実施形態に従う、データ処理、アプリケーション実行、及び他の装置機能の少なくともいずれかを行うように構成されてもよい。
【００５０】
無線通信装置、又は処理回路４１０及びセルラベースバンドプロセッサ４１４などのその一部若しくは成分は、その上にある任意の数の接続されたマイクロチップをそれぞれが含むことができる、１つ以上のチップセットを含みうる。処理回路４１０と、セルラベースバンドプロセッサ４１４と、無線通信装置の１つ以上の他の成分との少なくともいずれかは、ライセンスされた無線周波数帯域及び非ライセンス無線周波数帯域の組み合わせを用いて管理と動作との少なくともいずれかを行う様々な手順に関連付けられた機能を実装するようにも構成されてもよい。
【００５１】
いくつかの実施形態では、プロセッサ４０２／４１４は、様々な異なる形式で構成されうる。例えば、プロセッサ４０４／４１０は、マイクロプロセッサ、コプロセッサ、コントローラ、又は、例えば、特定用途向け集積回路（ＡＳＩＣ）、フィールドプログラマブルゲートアレイ（ＦＰＧＡ）、又はそれらの任意の組み合わせなどの集積回路を含む様々な他のコンピューティング若しくは処理実装のうち任意の数のものと関連付けられうる。様々なシナリオでは、無線通信装置の複数のプロセッサ４０４／４１０は、互いに動作通信するように接続されるか構成されるかの少なくともいずれかでありえ、これらの成分は、ここでさらに説明されるように、非ライセンス無線周波数帯域及びライセンスされた無線周波数帯域の両方を並行して使用するキャリアアグリゲーション手順における複数の無線周波数チャネルの管理及び使用のための方法を共同して実行するように構成されうる。
【００５２】
図４Ｂの無線通信装置４５０に関して図解され説明される成分、装置要素、及びハードウェアの全てが本開示に本質的でなくてもよく、したがって、これらの項目のいくつかは、省略され、統合され、又は理にかなった範囲で変更されてもよいことが理解されるべきである。さらに、いくつかの実装では、無線通信装置に関連付けられた対象は、図４Ｂの図解の範囲内で描かれたものを超える、追加の若しくは代替の成分、装置要素、又はハードウェアを含むように構成されうる。
【００５３】
図５は、（無線ネットワークの特定の「プライマリ」セルを用いた下りリンク及び上りリンクの両方の通信を含みうる）プライマリコンポーネントキャリア（ＰＣＣ）５０２と、（無線ネットワークの別の特定の「セカンダリ」セルからの下りリンク通信を提供し得る）セカンダリコンポーネントキャリア（ＳＣＣ）５０４との両方を用いた制御シグナリング及びデータ通信のブロック図５００を示している。制御プレーンのシグナリング、例えば、非アクセス階層（ＮＡＳ）シグナリング及び無線リソース制御（ＲＲＣ）シグナリングは、プライマリコンポーネントキャリアを介して、無線通信装置へ、例えばユーザ端末（ＵＥ）５０６へ、無線ネットワーク間で通信されうる。ＵＥ５０６は、ここの他の部分で説明される、無線ネットワークのＬＴＥ、ＬＴＥ−Ａ、及びＬＴＥ−Ｕの少なくともいずれかの無線通信プロトコルに従って動作する１つ以上のｅＮｏｄｅＢ（基地局）と通信することができる、ＬＴＥとＬＴＥ−Ａとの少なくともいずれかに準拠した無線通信装置とＬＴＥ−Ｕに準拠した無線通信装置との少なくともいずれかを含みうる。ＵＥ５０６は、ＰＣＣ５０２とＳＣＣ５０４との両方を同時に介して、（例えば、ライセンスされた無線周波数帯域及び非ライセンス無線周波数帯域の両方において、同時に、）例えば、ＬＴＥ−Ａキャリアアグリゲーションの無線アクセス技術（ＲＡＴ）とＬＴＥ−ＵキャリアアグリゲーションＲＡＴとの少なくともいずれかを用いて、無線ネットワークと通信する能力を有し得る。いくつかの実施形態では、下りリンク（ＤＬ）データは、帯域幅の増加及び下りリンクデータレートとスループット性能との少なくともいずれかの増加を提供するために、ＰＣＣ５０２とＳＣＣ５０４との両方を同時に用いて、すなわち、様々なＬＴＥ／ＬＴＥ−Ａ無線通信プロトコルにおいて特定されるようにキャリアアグリゲーションの形式を採用して、無線ネットワークから、ＵＥ５０６へ伝えられる。いくつかの実施形態では、上りリンク（ＵＬ）データは、１つ以上のＬＴＥ／ＬＴＥ−Ａ無線通信プロトコルに従って、ＰＣＣ５０２のみを用いて（そして、ＳＣＣ５０４を用いずに）、ＵＥ５０６から無線ネットワークへ伝送される。したがって、いくつかの実施形態では、ＵＥ５０６は、下りリンク方向において、共有され、隣接し、又は分離した周波数帯域における複数の並列の周波数キャリアを用いると共に上りリンク方向において単一の周波数キャリアを用いるキャリアアグリゲーションモードを使用するように構成されうる。いくつかの実施形態では、全てのレベル１（Ｌ１）物理（ＰＨＹ）レイヤ制御データ通信５１０は、例えばデフォルトの設定によるかＬＴＥ／ＬＴＥ−Ａ無線通信プロトコルに従うかの少なくともいずれかによって、ＰＣＣ５０２を介して伝送される。いくつかの実施形態では、２つの別個のセルを通じてＰＣＣ５０２及びＳＣＣ５０４を介した、ＵＥへのそしてＵＥからのパケットデータの通信の協調は、そのセル間の「セル間」通信リンク５１４を用いて提供されうる。いくつかの実施形態では、制御プレーンシグナリングは、非ライセンス無線周波数帯域におけるセカンダリセルの使用を起動し停止するために用いられうる。いくつかの実施形態では、制御プレーンシグナリングは、例えば非ライセンス無線周波数帯域における複数の周波数チャネル間の周波数チャネルの時間共有と周波数ホッピングとの少なくともいずれかのためのルールを含む、非ライセンス無線周波数帯域における通信に利用可能なセカンダリセルについての情報を提供するために使用されうる。
【００５４】
図６は、本開示の様々な実施形態による、ライセンス無線周波数帯域と非ライセンス無線周波数帯域との少なくともいずれかにおける複数の無線周波数チャネルを用いる無線周波数通信を管理する方法を描いたフローチャート６００を示している。第１のステップ６０２では、ＬＴＥ−Ｕ可能無線通信装置は、ライセンスされた無線周波数帯域における無線周波数チャネル及び非ライセンス無線周波数帯域における無線周波数チャネルの間でのモビリティのための、１つ以上のＡＮＤＳＦポリシを取得する。続くステップ６０４では、ＬＴＥ−Ｕ可能無線通信装置は、ライセンスされた無線周波数帯域における無線周波数チャネルから非ライセンス無線周波数帯域における無線周波数チャネルへのトラフィックのオフローディングのための１つ以上のＡＮＤＳＦポリシを取得する。いくつかの実施形態では、ＬＴＥ−Ｕ可能無線通信装置は、無線ネットワークのアクセスネットワーク機器から、例えばｅＮｏｄｅＢから、ＡＮＤＳＦポリシを取得する。いくつかの実施形態では、ＡＮＤＳＦポリシは、ＬＴＥ−Ｕ可能無線通信装置のプロビジョニングとソフトウェアアップデートとの少なくともいずれかの間に提供される。ステップ６０６では、ＬＴＥ−Ｕ可能無線通信装置は、非ライセンス無線周波数帯域の１つ以上の無線周波数チャネルにおいて無線周波数干渉レベルを監視する。いくつかの実施形態では、ＬＴＥ−Ｕ可能無線通信装置は、非ライセンス無線周波数帯域の１つ以上の無線周波数チャネルにおいて無線周波数干渉レベルを監視するために、セルラ無線サブシステムと無線ローカルエリアネットワークサブシステムとの少なくともいずれかを用いる。ステップ６０８では、ＬＴＥ−Ｕ可能無線通信装置は、非ライセンス無線周波数帯域における１つ以上の無線周波数チャネルに対する負荷情報を取得する。ステップ６１０において、ＬＴＥ−Ｕ可能無線通信装置は、トラフィックをオフローディングするための１つ以上のＡＮＤＳＦポリシに従って、監視された無線周波数干渉レベル及び負荷情報が、非ライセンス無線周波数帯域における少なくとも１つの無線周波数チャネルがオフローディングに利用可能であることを示すかを判定する。ステップ６１２において、監視された無線周波数干渉レベル及び負荷情報が、トラフィックをオフローディングするための１つ以上のＡＮＤＳＦポリシに従って、非ライセンス無線周波数帯域における少なくとも１つの無線周波数チャネルがオフローティングに利用可能であることを示す場合、ＬＴＥ−Ｕ可能無線通信装置は、ライセンスされた無線周波数帯域における無線周波数チャネルから非ライセンス無線周波数帯域における少なくとも１つの無線周波数チャネルへ、データ通信トラフィックの少なくとも一部を移す。いくつかの実施形態では、ＬＴＥ−Ｕ可能無線通信装置は、例えば１つ以上の無線リソース制御（ＲＲＣ）メッセージの一部と１つ以上のシステム情報ブロードキャスト（ＳＩＢ）メッセージの一部との少なくともいずれかとしての、無線ネットワークのｅＮｏｄｅＢから伝えられた制御メッセージに基づいて、オフローティングのための無線周波数チャネルの利用可能性を判定する。いくつかの実施形態では、ＬＴＥ−Ｕ可能無線通信装置は、非ライセンス無線周波数帯域における少なくとも１つのＲＦチャネルに対する測定されたか推定されたかの少なくともいずれかである無線周波数干渉レベルについての情報を、無線ネットワークのｅＮｏｄｅＢへ提供する。いくつかの実施形態では、ＬＴＥ−Ｕ無線通信装置は、１つ以上の無線周波数チャネルに対する負荷レベルを１つ以上の負荷閾値レベルのセットと比較することにより、非ライセンス無線周波数帯域における１つ以上の無線周波数チャネルがオフローディングのために利用可能であるかを判定する。いくつかの実施形態では、ＬＴＥ−Ｕ無線通信装置は、測定された無線周波数干渉のレベルを１つ以上の干渉閾値レベルのセットと比較することにより、非ライセンス無線周波数帯域における１つ以上の無線周波数チャネルがオフローディングのために利用可能であるかを判定する。いくつかの実施形態では、非ライセンス無線周波数帯域における少なくとも１つのＲＦチャネルは、ＬＴＥ／ＬＴＥ−Ａ／ＬＴＥ−Ｕ無線通信プロトコルに従って動作すると共に、Ｗｉ−Ｆｉ（登録商標）無線通信プロトコルに慕った通信に用いられる非ライセンス無線周波数帯域における少なくとも１つのＲＦチャネルとオーバーラップする。いくつかの実施形態では、ＡＮＤＳＦポリシは、ＲＲＣシグナリングメッセージ、例えば１つ以上のシステム情報ブロック（ＳＩＢ）メッセージを用いて、無線ネットワークのｅＮｏｄｅＢによってブロードキャストされる。いくつかの実施形態では、ＡＮＤＳＦポリシは、非ライセンス無線周波数帯域における管理されたＷＬＡＮ通信に利用可能なＷＬＡＮ周波数チャネルのリストを含む。いくつかの実施形態では、ＡＮＤＳＦポリシは、ＬＴＥ−Ｕ通信に利用可能な非ライセンス無線周波数帯域におけるＲＦチャネルのリストを含む。
【００５５】
図７は、本開示のいくつかの実施形態に従う、無線通信装置のための時分割多重共存のための方法を描くフローチャート７００を示している。ステップ７０２では、ＬＴＥ−Ｕ可能無線通信装置は、ライセンスされた無線周波数（ＲＦ）帯域におけるプライマリセルのプライマリコンポーネントキャリア（ＰＣＣ）を用いて、セルラ無線ネットワークのｅＮｏｄｅＢとの接続を確立する。いくつかの実施形態では、接続は、キャリアアグリゲーションに用いられる１つ以上のコンポーネントキャリアの制御を与えるための、ＬＴＥ−Ｕ可能無線通信装置とｅＮｏｄｅＢとの間の無線リソース制御（ＲＲＣ）シグナリング接続を含む。ステップ７０４では、ＬＴＥ−Ｕ可能無線通信装置は、ｅＮｏｄｅＢから、セカンダリセルのための設定を取得する。いくつかの実施形態では、セカンダリセルは、非ライセンス無線周波数帯域における１つ以上の無線周波数チャネルを用いて動作する。いくつかの実施形態では、設定は、セカンダリセルの１つ以上の無線周波数チャネルを介した伝送と非セルラ無線通信装置、例えばＷｉ−Ｆｉ（登録商標）無線通信プロトコルに従って動作する無線ローカルエリアネットワーク装置によって使用される並列の無線周波数チャネルを介した伝送との時分割共存のための「オン」サイクル及び「オフ」サイクルを表示するタイマのセットを含む。いくつかの実施形態では、タイマのセットは、セカンダリセルの「オン」及び「オフ」サイクルのための開始時刻と終了時刻とに対する情報を含む。いくつかの実施形態では、開始及び終了時刻は、１つ以上のシステムフレーム番号（ＳＦＮ）値を用いて特定される。いくつかの実施形態では、ＬＴＥ−Ｕ可能無線通信装置は、セカンダリセルにおけるセカンダリコンポーネントキャリアを介した通信のための、各「オン」サイクルの開始のための指標を提供する開始タイマと、各「オフ」サイクルの開始のための指標を提供する停止タイマと、を維持する。いくつかの実施形態では、セカンダリコンポーネントキャリアを用いるように構成された全ＬＴＥ−Ｕ可能無線通信装置は、ｅＮｏｄｅＢによって提供された設定情報に基づいて、同一の「オン」及び「オフ」サイクルに同期する。ステップ７０６では、ＬＴＥ−Ｕ可能無線通信装置は、少なくとも１つの「オン」サイクルの間、セカンダリセルのセカンダリコンポーネントキャリアを介した通信を、ｅＮｏｄｅＢへ送信し、又は、ｅＮｏｄｅＢから受信する。ステップ７０８では、ＬＴＥ−Ｕ可能無線装置は、各「オフ」サイクルの間、セカンダリセルのセカンダリコンポーネントキャリアを介したｅＮｏｄｅＢとの通信を抑制する（又は控える）。いくつかの実施形態では、各「オフ」サイクルは、例えばＷｉ−Ｆｉ（登録商標）無線通信プロトコルに従って動作するＷＬＡＮ装置にとって、セカンダリコンポーネントキャリアと少なくとも部分的にオーバーラップする非ライセンス無線周波数帯域における無線周波数チャネルの利用可能性をセンスして、非ライセンス無線周波数帯域における無線周波数チャネルを介した少なくとも１つのデータパケットを送信するのに十分な期間にわたる。いくつかの実施形態では、「オフ」サイクルは、少なくとも２０ミリ秒又は少なくとも４０ミリ秒にわたる。いくつかの実施形態では、セカンダリセルのための設定は、ｅＮｏｄｅＢによって、１つ以上のシステム情報（ＳＩＢ）メッセージを用いて、ＬＴＥ−Ｕ可能無線通信装置へブロードキャストされる。いくつかの実施形態では、セカンダリセルのための設定は、ｅＮｏｄｅＢによって、１つ以上の無線リソース制御（ＲＲＣ）シグナリングメッセージを用いて、ＬＴＥ−Ｕ可能無線通信装置へ伝えられる。いくつかの実施形態では、ｅＮｏｄｅＢに対する全セカンダリセルのための「オン」及び「オフ」サイクルは、共通のタイミングパターンを用いる。いくつかの実施形態では、ｅＮｏｄｅＢに対する各セカンダリセルは、それらの典型的な「オン」及び「オフ」サイクルのための異なるタイミングパターンを用いる。「オフ」サイクルの間、ＬＴＥ−Ｕ可能無線装置は、ライセンスされた無線周波数帯域における無線周波数リソースを用いるが非ライセンス無線周波数帯域における無線周波数リソースを用いずに、例えば、プライマリセルのプライマリコンポーネントキャリアを用いて、ｅＮｏｄｅＢと通信する。
【００５６】
図８は、本開示のいくつかの実施形態に従う、無線通信装置のための周波数ホッピング共存の方法を描くフローチャート８００を示している。第１のステップ８０２では、ＬＴＥ−Ｕ可能無線通信装置は、ライセンスされた無線周波数帯域におけるプライマリコンポーネントキャリア（ＰＣＣ）を用いて、無線ネットワークのｅＮｏｄｅＢとの接続を確立する。いくつかの実施形態では、接続は、キャリアアグリゲーションに使用される１つ以上のコンポーネントキャリアの制御を与えるために、ＬＴＥ−Ｕ可能無線通信装置とｅＮｏｄｅＢとの間の無線リソース制御（ＲＲＣ）シグナリング接続を含む。ステップ８０４では、ＬＴＥ−Ｕ可能無線通信装置は、ｅＮｏｄｅＢから、セカンダリセルのための設定を取得する。いくつかの実施形態では、セカンダリセルは、非ライセンス無線周波数帯域における無線周波数チャネルのセットを用いて動作する。いくつかの実施形態では、設定は、周波数チャネルのセットに対する、又は周波数チャネルのセットの一部に対する、周波数ホッピングパターンを含み、周波数ホッピングパターンは、周波数ホッピングパターンの各連続するホップの間にＬＴＥ−Ｕ可能無線通信装置によって使用するための周波数チャネルの系列を特定する。各周波数チャネルは、非ライセンス無線周波数（ＲＦ）帯域内にあってもよく、ＬＴＥ−Ｕ可能無線通信装置は、ｅＮｏｄｅＢによって特定された周波数ホッピングパターンに基づいて、様々な無線周波数チャネル間を切り替えうる。いくつかの実施形態では、周波数ホッピングパターンは、ブロードキャストされたシステム情報ブロック（ＳＩＢ）メッセージ又は１つ以上のＲＲＣシグナリングメッセージにおいて、ＬＴＥ−Ｕ可能無線通信装置に伝えられる。いくつかの実施形態では、周波数ホッピングパターンは、例えば周波数ホッピングパターンを適用するセカンダリセルの動作状態と、周波数チャネルの負荷状態と、ｅＮｏｄｅＢによって取得される、測定された無線周波数干渉との少なくともいずれかに基づいて、時間とともに変化する。いくつかの実施形態では、ＬＴＥ−Ｕ可能無線通信装置は、非ライセンス無線周波数帯域の１つ以上のＲＦチャネルにおける無線周波数干渉を測定し、測定された無線周波数干渉についての情報を、順に周波数ホッピングパターン（例えば、ＲＦチャネルのセット、ＲＦチャネルのセットに対する系列、ＲＦチャネルのセットにおいて各ＲＦチャネルを用いる時刻など）を得られた無線周波数干渉についての情報に少なくとも部分的に基づいて決定するｅＮｏｄｅＢに提供する。ステップ８０６では、ＬＴＥ−Ｕ可能無線通信装置は、周波数ホッピングパターンの第１のホップの間、例えば周波数ホッピングパターンによって特定される第１の周波数チャネルで、周波数ホッピングパターンによって特定された第１の周波数チャネルを用いる期間を超えない間、セカンダリコンポーネントキャリア（ＳＣＣ）を介してｅＮｏｄｅＢへ送信し又はｅＮｏｄｅＢから受信する。ステップ８０８では、ＬＴＥ−Ｕ可能無線通信装置は、同様に周波数ホッピングパターンで特定された期間、その周波数ホッピングパターンで特定された第２の周波数チャネルを用いるように、セルラ無線サブシステムを設定する。いくつかの実施形態では、ｅＮｏｄｅＢは、非ライセンス無線周波数帯域におけるＲＦチャネルと各ＲＦチャネルを使用する期間の系列を、ＬＴＥ−Ｕ可能無線通信装置に提供する。いくつかの実施形態では、期間と、開始時刻と、終了時刻との少なくともいずれかは、ＳＦＮ値を用いて特定される。いくつかの実施形態では、非ライセンス無線周波数帯域は、ＩＳＭ周波数帯域、又は、ＵＮＩＩ周波数帯域である。いくつかの実施形態では、周波数ホッピングパターンは、周波数チャネル数のセットを用いて、又は、セカンダリコンポーネントキャリアのための中心周波数値のセットによって特定される。
【００５７】
（代表的な実施形態）
いくつかの実施形態では、非ライセンス無線周波数帯域における無線周波数チャネルの使用を管理する方法は、無線通信装置が、ライセンスされた無線周波数帯域と前記非ライセンス無線周波数帯域との間の前記無線通信装置のモビリティのための１つ以上のアクセスネットワーク発見及び選択機能（ＡＮＤＳＦ）ポリシの取得と、前記ライセンスされた無線周波数帯域における無線周波数チャネル及び前記非ライセンス無線周波数帯域における無線周波数チャネルとの間でトラフィックをオフロードするための１つ以上のＡＮＤＳＦポリシの取得と、前記非ライセンス無線周波数帯域における少なくとも１つの無線周波数チャネルに対する無線周波数干渉レベルの監視と、前記非ライセンス無線周波数帯域における前記少なくとも１つの無線周波数チャネルに対する負荷情報の取得と、前記無線周波数干渉レベルと前記負荷情報とが、前記トラフィックをオフロードするための１つ以上のＡＮＤＳＦポリシに従ってオフロードするのに前記非ライセンス無線周波数帯域における少なくとも１つの無線周波数チャネルを利用可能であることを示す場合の、前記ライセンスされた無線周波数帯域における無線周波数チャネルから前記非ライセンス無線周波数帯域における前記少なくとも１つの無線周波数チャネルへの、データ通信トラフィックの少なくとも一部の転送と、を含む工程を実行することを含む。
【００５８】
いくつかの実施形態では、非ライセンス無線周波数帯域における無線周波数チャネルの使用を管理する方法は、無線通信装置が、前記非ライセンス無線周波数帯域における少なくとも１つの無線周波数チャネルに対する無線周波数干渉レベルの無線ネットワークのエンハンスドＮｏｄｅＢへの提供と、ライセンスされた無線周波数帯域における無線周波数チャネルから前記非ライセンス無線周波数帯域における前記少なくとも１つの無線周波数チャネルへ、データトラフィックの一部をオフロードするための制御メッセージの、前記無線ネットワークの前記エンハンスドＮｏｄｅＢからの受信と、を含む工程を実行することを含む。
【００５９】
いくつかの実施形態では、無線通信装置のセルラ無線サブシステムは、ロングタームエボリューション（ＬＴＥ）又はロングタームエボリューションアドバンスド（ＬＴＥ−Ａ）無線通信プロトコルに従って動作するように構成される。
【００６０】
いくつかの実施形態では、無線通信装置の無線ローカルエリアネットワークサブシステムは、Ｗｉ−Ｆｉ（登録商標）無線通信プロトコルに従って動作するように構成される。
【００６１】
いくつかの実施形態では、無線周波数干渉レベルは、１つ以上の非セルラ無線通信装置からの無線周波数干渉の測定されたレベルが干渉閾値レベルより低い場合に、非ライセンス無線周波数帯域における少なくとも１つの無線周波数チャネルが利用可能であることを示す。
【００６２】
いくつかの実施形態では、負荷情報は、非ライセンス無線周波数帯域における少なくとも１つの無線周波数チャネルに対する負荷レベルが負荷閾値レベルより低い場合に、前記非ライセンス無線周波数帯域における前記少なくとも１つの無線周波数チャネルが利用可能であることを示す。
【００６３】
いくつかの実施形態では、ＡＮＤＳＦポリシは、無線ネットワークのエンハンスドＮｏｄｅＢによって、無線リソース制御（ＲＲＣ）シグナリングメッセージを用いて通信される。
【００６４】
いくつかの実施形態では、ＡＮＤＳＦポリシは、無線ネットワークのエンハンスドＮｏｄｅＢによって、システム情報ブロック（ＳＩＢ）メッセージを用いて通信される。
【００６５】
いくつかの実施形態では、ＡＮＤＳＦポリシは、少なくとも、非ライセンス無線周波数帯域における管理されたＷＬＡＮ通信に利用可能な無線ローカルエリアネットワーク（ＷＬＡＮ）周波数チャネルの第１のリストと、非ライセンスＬＴＥ（ＬＴＥ−Ｕ）通信に利用可能な前記非ライセンス無線周波数帯域における無線周波数チャネルの第２のリストとを含む。
【００６６】
いくつかの実施形態では、ＡＮＤＳＦポリシは、無線周波数チャネルの第１のリスト及び前記第２のリストにおいて特定された１つ以上の無線周波数チャネルに対する、無線周波数干渉レベルについての情報を含む。
【００６７】
いくつかの実施形態では、無線通信装置は、セルラ無線サブシステムと、無線ローカルエリアネットワーク（ＷＬＡＮ）無線サブシステムと、前記セルラ無線サブシステム及び前記ＷＬＡＮ無線サブシステムに通信可能に接続された処理回路と、を含み、前記処理回路は、前記無線通信装置に、ライセンスされた無線周波数帯域における無線周波数チャネルと非ライセンス無線周波数帯域における無線周波数チャネルとの間でトラフィックをオフロードするための１つ以上のＡＮＤＳＦポリシを取得させ、前記非ライセンス無線周波数帯域における無線周波数チャネルに対する無線周波数干渉レベルを監視させ、前記非ライセンス無線周波数帯域における前記無線周波数チャネルに対する負荷情報を取得させ、前記無線周波数干渉レベルと前記負荷情報とが、前記トラフィックをオフロードするための１つ以上のＡＮＤＳＦポリシに従ってオフロードするのに前記非ライセンス無線周波数帯域における前記無線周波数チャネルを利用可能であることを示す場合に、前記ライセンスされた無線周波数帯域における無線周波数チャネルから前記非ライセンス無線周波数帯域における前記無線周波数チャネルへ、データ通信トラフィックの少なくとも一部を転送させる、ように構成される。
【００６８】
いくつかの実施形態では、無線通信装置は、前記無線通信装置に、非ライセンス無線周波数帯域における無線周波数チャネルに対する無線周波数干渉レベルを、無線ネットワークのエンハンスドＮｏｄｅＢへ提供させ、ライセンスされた無線周波数帯域における前記無線周波数チャネルから前記非ライセンス無線周波数帯域における前記無線周波数チャネルへ、データトラフィックの一部をオフロードするための制御メッセージを、前記無線ネットワークの前記エンハンスドＮｏｄｅＢから受信させる、ように構成される処理回路を含む。
【００６９】
いくつかの実施形態では、無線通信装置は、ＬＴＥ又はＬＴＥ−Ａ無線通信プロトコルに従って動作するセルラ無線サブシステムを含み、ＷＬＡＮ無線サブシステムは、Ｗｉ−Ｆｉ（登録商標）無線通信プロトコルに従って動作する。
【００７０】
いくつかの実施形態では、無線周波数干渉レベルは、１つ以上の非セルラ無線通信装置からの無線周波数干渉の測定されたレベルが干渉閾値レベルより低い場合に、前記非ライセンス無線周波数帯域における無線周波数チャネルが利用可能であることを示す。
【００７１】
いくつかの実施形態では、負荷情報は、非ライセンス無線周波数帯域における無線周波数チャネルに対する負荷レベルが負荷閾値レベルより低い場合に、前記非ライセンス無線周波数帯域における前記無線周波数チャネルが利用可能であることを示す。
【００７２】
いくつかの実施形態では、トラフィックをオフロードするためのＡＮＤＳＦポリシは、無線ネットワークのエンハンスドＮｏｄｅＢによって、ＲＲＣシグナリングメッセージとＳＩＢメッセージとの１つ以上を用いて通信される。
【００７３】
いくつかの実施形態では、無線通信装置は、前記無線通信装置に、前記ライセンスされた無線周波数帯域と前記非ライセンス無線周波数帯域との間での前記無線通信装置のモビリティのための１つ以上のＡＮＤＳＦポリシを取得させるように構成される処理回路を含み、前記モビリティのための１つ以上のＡＮＤＳＦポリシは、少なくとも、前記非ライセンス無線周波数帯域における管理されたＷＬＡＮ通信に利用可能な無線ローカルエリアネットワーク（ＷＬＡＮ）周波数チャネルの第１のリストと非ライセンスＬＴＥ（ＬＴＥ−Ｕ）通信に利用可能な前記非ライセンス無線周波数帯域における無線周波数チャネルの第２のリストと、を含む。
【００７４】
いくつかの実施形態では、無線通信装置は、前記無線通信装置に、無線周波数チャネルの前記第１のリスト及び前記第２のリストにおいて特定された１つ以上の無線周波数チャネルに対する、無線周波数干渉レベルについての情報を取得させるように構成される処理回路を含む。
【００７５】
いくつかの実施形態では、非一時的コンピュータ可読媒体は実行可能な命令を記憶し、前記命令は、無線通信装置の１つ以上のプロセッサによって実行されるときに、前記無線通信装置に、ライセンスされた無線周波数帯域における無線周波数チャネルと非ライセンス無線周波数帯域における無線周波数チャネルとの間でトラフィックをオフロードするための１つ以上のＡＮＤＳＦポリシを取得させ、前記非ライセンス無線周波数帯域における少なくとも１つの無線周波数チャネルに対する負荷情報及び無線周波数干渉レベルを取得させ、前記無線周波数干渉レベルと前記負荷情報とが、前記トラフィックをオフロードするための１つ以上のＡＮＤＳＦポリシに従ってオフロードするのに前記非ライセンス無線周波数帯域における前記少なくとも１つの無線周波数チャネルを利用可能であることを示す場合に、前記ライセンスされた無線周波数帯域における無線周波数チャネルから前記非ライセンス無線周波数帯域における前記少なくとも１つの無線周波数チャネルへ、データ通信トラフィックの少なくとも一部を転送させる。
【００７６】
いくつかの実施形態では、トラフィックをオフロードするための１つ以上のＡＮＤＳＦポリシは、非ライセンス無線周波数帯域における管理されたＷＬＡＮ通信に利用可能な無線ローカルエリアネットワーク（ＷＬＡＮ）周波数チャネルの第１のリスト、非ライセンスＬＴＥ（ＬＴＥ−Ｕ）通信に利用可能な前記非ライセンス無線周波数帯域における無線周波数チャネルの第２のリスト、及び、無線周波数チャネルの前記第１のリスト及び前記第２のリストにおいて特定された１つ以上の無線周波数チャネルに対する、無線周波数干渉レベルについての情報、の１つ以上を含む。
【００７７】
いくつかの実施形態では、非ライセンス無線周波数帯域における無線周波数チャネルの使用を管理する装置は、ライセンスされた無線周波数帯域における無線周波数チャネルと非ライセンス無線周波数帯域における無線周波数チャネルとの間でトラフィックをオフロードするための１つ以上のＡＮＤＳＦポリシを取得する手段と、前記非ライセンス無線周波数帯域における少なくとも１つの無線周波数チャネルに対する負荷情報及び無線周波数干渉レベルを取得する手段と、前記無線周波数干渉レベルと前記負荷情報とが、前記トラフィックをオフロードするための１つ以上のＡＮＤＳＦポリシに従ってオフロードするのに前記非ライセンス無線周波数帯域における前記少なくとも１つの無線周波数チャネルを利用可能であることを示す場合に、前記ライセンスされた無線周波数帯域における無線周波数チャネルから前記非ライセンス無線周波数帯域における前記少なくとも１つの無線周波数チャネルへ、データ通信トラフィックの少なくとも一部を転送する手段と、を含む。
【００７８】
いくつかの実施形態では、非ライセンス無線周波数（ＲＦ）帯域における時分割に基づく共存のための方法は、ライセンスされた無線周波数帯域におけるプライマリセルのプライマリコンポーネントキャリアを用いて、前記無線通信装置と無線ネットワークのｅＮｏｄｅＢとの間の接続を確立することと、前記非ライセンス無線周波数帯域において動作するセカンダリセルのための情報をｅＮｏｄｅＢから取得することであって、セカンダリセルのための設定は、セカンダリセルの使用のためのオンサイクルとオフサイクルとを示すタイマのセットを含むことと、前記無線通信装置と前記ｅＮｏｄｅＢとの間の接続のためのプライマリコンポーネントキャリアを補うように、前記セカンダリセルに対してセカンダリコンポーネントキャリアを設定することであって、第１のコンポーネントキャリア及び第２のコンポーネントキャリアはキャリアアグリゲーションを介した通信のために共に用いられることと、前記セカンダリセルの少なくとも１つのオンサイクルの間に前記セカンダリコンポーネントキャリアを介して前記ｅＮｏｄｅＢへ送信するか前記ｅＮｏｄｅＢから受信することと、前記セカンダリセルの各オフサイクルの間、セカンダリコンポーネントキャリアを介した前記ｅＮｏｄｅＢとの通信を抑止することと、を含む工程を無線通信装置が実行することを含む。
【００７９】
いくつかの実施形態では、タイマのセットは、セカンダリセルのオンサイクルとオフサイクルとに対する開始時刻と終了時刻との少なくとも１つについての情報を含む。
【００８０】
いくつかの実施形態では、開始時刻と終了時刻は、１つ以上のシステムフレーム番号（ＳＦＮ）値を用いて特定される。
【００８１】
いくつかの実施形態では、非ライセンス無線周波数（ＲＦ）帯域における時分割に基づく共存のための方法は、無線通信装置によって、セカンダリセルにおけるセカンダリコンポーネントキャリアを介した通信のための、各オンサイクルの開始を示す開始タイマと各オフサイクルの開始を示す停止タイマとを維持することを含む。
【００８２】
いくつかの実施形態では、各オフサイクルは、無線ローカルエリアネットワーキング（ＷＬＡＮ）装置がセカンダリコンポーネントキャリアと少なくとも部分的にオーバーラップしている非ライセンス無線周波数帯域における無線周波数チャネルの利用可能性をセンシングして、前記非ライセンス無線周波数帯域における前記無線周波数チャネルを介して少なくとも１つのデータパケットを送信するのに十分な期間にわたる。
【００８３】
いくつかの実施形態では、ＷＬＡＮ装置は、Ｗｉ−Ｆｉ（登録商標）無線通信プロトコルに従って動作し、無線通信装置は、ロングタームエボリューション（ＬＴＥ）、ロングタームエボリューションアドバンスド（ＬＴＥ−Ａ）又は、ロングタームエボリューションアンライセンスド（ＬＴＥ−Ｕ）無線通信プロトコルに従って動作する。
【００８４】
いくつかの実施形態では、各オフサイクルは、少なくとも２０ミリ秒にわたる。
【００８５】
いくつかの実施形態では、セカンダリセルのための設定は、１つ以上のシステム情報ブロック（ＳＩＢ）メッセージを用いてｅＮｏｄｅＢによってブロードキャストされる。
【００８６】
いくつかの実施形態では、セカンダリセルのための設定は、１つ以上の無線リソース制御（ＲＲＣ）シグナリングメッセージを用いてｅＮｏｄｅＢによって無線通信装置へ通信される。
【００８７】
いくつかの実施形態では、非ライセンス無線周波数（ＲＦ）帯域における時分割に基づく共存のための方法は、無線通信装置が、プライマリセルのプライマリコンポーネントキャリアを用いて、セカンダリセルの少なくとも１つのオフサイクルの間に、ｅＮｏｄｅＢと通信することを含む。
【００８８】
いくつかの実施形態では、無線通信装置は、セルラ無線サブシステムと無線ローカルエリアネットワーク（ＷＬＡＮ）無線サブシステムと、セルラ無線サブシステム及びＷＬＡＮ無線サブシステムと通信可能に接続された処理回路とを含み、前記無線通信装置に、ライセンスされた無線周波数帯域におけるプライマリセルのプライマリコンポーネントキャリアを用いて、無線ネットワークへの接続を確立させ、非ライセンス無線周波数帯域において動作するセカンダリセルのための、前記セカンダリセルの使用のためのオンサイクルとオフサイクルとのための情報を含む設定を取得させ、前記無線通信装置と前記無線ネットワークとの間の接続のための前記プライマリコンポーネントキャリアを補うように、前記セカンダリセルのためのセカンダリコンポーネントキャリアを設定させ、ここで第１のコンポーネントキャリア及び第２のコンポーネントキャリアはキャリアアグリゲーションを介した通信のために共に用いられ、前記セカンダリセルの少なくとも１つのオンサイクルの間に前記セカンダリコンポーネントキャリアを介して前記無線ネットワークと通信させ、前記セカンダリセルの少なくとも１つのオフサイクルの間、前記セカンダリコンポーネントキャリアを介した前記無線ネットワークとの通信を抑止させる、ように前記処理回路が構成される。
【００８９】
いくつかの実施形態では、セカンダリセルの使用のためのオンサイクルとオフサイクルとの情報は、前記セカンダリセルのオンサイクルとオフサイクルとに対する開始時刻と終了時刻との少なくとも１つを含む。
【００９０】
いくつかの実施形態では、開始時刻と終了時刻は、１つ以上のシステムフレーム番号（ＳＦＮ）値を用いて特定される。
【００９１】
いくつかの実施形態では、無線通信装置は、当該無線通信装置によるセカンダリセルにおけるセカンダリコンポーネントキャリアを介した通信のための、各オンサイクルの開始を示す開始タイマと各オフサイクルの開始を示す停止タイマとを前記無線通信装置に維持させるように構成される処理回路を含む。
【００９２】
いくつかの実施形態では、各オフサイクルは、無線ローカルエリアネットワーキング（ＷＬＡＮ）装置がセカンダリコンポーネントキャリアと少なくとも部分的にオーバーラップしている非ライセンス無線周波数帯域における無線周波数チャネルの利用可能性をセンシングして、前記非ライセンス無線周波数帯域における前記無線周波数チャネルを介して少なくとも１つのデータパケットを送信するのに十分な期間にわたる。
【００９３】
いくつかの実施形態では、無線ローカルエリアネットワーキング（ＷＬＡＮ）装置は、Ｗｉ−Ｆｉ（登録商標）無線通信プロトコルに従って動作し、無線通信装置は、ロングタームエボリューション（ＬＴＥ）、ロングタームエボリューションアドバンスド（ＬＴＥ−Ａ）又は、ロングタームエボリューションアンライセンスド（ＬＴＥ−Ｕ）無線通信プロトコルに従って動作する。
【００９４】
いくつかの実施形態では、無線通信装置は、無線ネットワークのｅＮｏｄｅＢによってブロードキャストされる１つ以上のシステム情報ブロック（ＳＩＢ）メッセージにおいて、前記セカンダリセルのための設定を取得する。
【００９５】
いくつかの実施形態では、無線通信装置は、無線ネットワークのｅＮｏｄｅＢによって通信される１つ以上の無線リソース制御（ＲＲＣ）シグナリングメッセージにおいて、セカンダリセルのための設定を取得する。
【００９６】
いくつかの実施形態では、無線通信装置は、当該無線通信装置に、前記プライマリセルのプライマリコンポーネントキャリアを用いて、セカンダリセルの少なくとも１つのオフサイクルの間、無線ネットワークと通信させるように構成される処理回路を含む。
【００９７】
いくつかの実施形態では、非一時的コンピュータ可読媒体は実行可能な命令を記憶し、前記命令は、無線通信装置の１つ以上のプロセッサによって実行されるときに、前記無線通信装置に、ライセンスされた無線周波数帯域におけるプライマリセルのプライマリコンポーネントキャリアを用いて無線ネットワークへの接続を確立させ、前記無線通信装置と前記無線ネットワークとの間の前記接続のための前記プライマリコンポーネントキャリアを補うために、非ライセンス無線周波数帯域で動作するセカンダリセルのためにセカンダリコンポーネントキャリアを設定させ、ここで、第１のコンポーネントキャリア及び第２のコンポーネントキャリアはキャリアアグリゲーションを介した通信に共に用いられ、前記セカンダリセルのオン期間の間、前記セカンダリコンポーネントキャリアを介して前記無線ネットワークと通信させ、前記セカンダリセルのオフ期間の間、前記セカンダリコンポーネントキャリアを介した前記無線ネットワークとの通信を抑止させる。
【００９８】
いくつかの実施形態では、非ライセンス無線周波数（ＲＦ）帯域における時分割に基づく共存のための装置は、ライセンスされた無線周波数帯域におけるプライマリセルのプライマリコンポーネントキャリアを用いて無線ネットワークへの接続を確立する手段と、前記無線通信装置と前記無線ネットワークとの間の前記接続のための前記プライマリコンポーネントキャリアを補うために、非ライセンス無線周波数帯域で動作するセカンダリセルのためにセカンダリコンポーネントキャリアを設定する手段であって、第１のコンポーネントキャリア及び第２のコンポーネントキャリアはキャリアアグリゲーションを介した通信に共に用いられる、手段と、前記セカンダリセルのオン期間の間、前記セカンダリコンポーネントキャリアを介して前記無線ネットワークと通信する手段と、前記セカンダリセルのオフ期間の間、前記セカンダリコンポーネントキャリアを介した前記無線ネットワークとの通信を抑止する手段と、を含む。
【００９９】
いくつかの実施形態では、非ライセンス無線周波数（ＲＦ）帯域における時分割に基づく共存のための方法は、無線通信装置が、ライセンスされた無線周波数帯域におけるプライマリセルのプライマリコンポーネントキャリアを用いて、前記無線通信装置と無線ネットワークのｅＮｏｄｅＢとの間の接続を確立することと、前記ｅＮｏｄｅＢから、前記非ライセンス無線周波数帯域で動作するセカンダリセルの、前記セカンダリセルにおけるセカンダリコンポーネントキャリアを介した通信のための周波数チャネルのセット及び周波数ホッピングパターンを含む設定を取得することと、前記周波数チャネルのセットにおける第１の周波数チャネルを用いて、前記周波数ホッピングパターンの第１のホップの間、前記セカンダリコンポーネントキャリアを用いて前記ｅＮｏｄｅＢへ送信し又は前記ｅＮｏｄｅＢから受信することと、前記周波数チャネルのセットにおける第２の周波数チャネルを用いて、前記周波数ホッピングパターンの第２のホップの間、前記セカンダリコンポーネントキャリアを用いて前記ｅＮｏｄｅＢへ送信し又は前記ｅＮｏｄｅＢから受信することと、を含む。
【０１００】
いくつかの実施形態では、周波数ホッピングパターンの各ホップは、システムフレーム番号（ＳＦＮ）に対する最大カウントに対応する時間より小さい期間にわたる。
【０１０１】
いくつかの実施形態では、周波数ホッピングパターンの各ホップに対する開始時刻がＳＦＮ値によって特定される。
【０１０２】
いくつかの実施形態では、第１のコンポーネントキャリア及びセカンダリコンポーネントキャリアは、無線通信装置とｅＮｏｄｅＢとの間のキャリアアグリゲーションを介した通信に用いられる。
【０１０３】
いくつかの実施形態では、非ライセンス無線周波数帯域は、５ＧＨｚの産業科学医療（ＩＳＭ）無線周波数帯域における周波数チャネルを含む。
【０１０４】
いくつかの実施形態では、周波数ホッピングパターンは、セカンダリコンポーネントキャリアに対する周波数チャネル番号又は中心周波数値と当該周波数ホッピングパターンにおける各周波数チャネルを用いる時刻とを含む。
【０１０５】
いくつかの実施形態では、非ライセンス無線周波数（ＲＦ）帯域における周波数ホッピングに基づく共存の方法は、無線通信装置が、前記非ライセンス無線周波数帯域における少なくとも１つの無線周波数チャネルの無線周波数干渉のレベルを測定することと、前記無線周波数干渉のレベルについての情報をｅＮｏｄｅＢへ提供することと、を含む。
【０１０６】
いくつかの実施形態では、セカンダリセルのための周波数ホッピングパターンは、無線通信装置によって提供される無線周波数干渉のレベルについての情報に少なくとも部分的に基づいて、ｅＮｏｄｅＢによって適合される。
【０１０７】
いくつかの実施形態では、無線通信装置は、ロングタームエボリューション（ＬＴＥ）、ロングタームエボリューションアドバンスド（ＬＴＥ−Ａ）、またはロングタームエボリューションアンライセンスド（ＬＴＥ−Ｕ）無線通信プロトコルに従って動作する。
【０１０８】
いくつかの実施形態では、無線通信装置は、セルラ無線サブシステム、無線ローカルエリアネットワーク（ＷＬＡＮ）無線サブシステム、及びセルラ無線サブシステム並びにＷＬＡＮ無線サブシステムと通信可能に接続された処理回路とを含み、前記無線通信装置に、ライセンスされた無線周波数帯域におけるプライマリセルのプライマリコンポーネントキャリアを用いて、前記無線通信装置と無線ネットワークとの間の接続を確立させ、非ライセンス無線周波数帯域で動作するセカンダリセルのための、前記セカンダリセルにおけるセカンダリコンポーネントキャリアを介した通信のための周波数チャネルのセットと周波数ホッピングパターンを含む設定を取得させ、前記周波数チャネルのセットにおける第１の周波数チャネルを用いて、前記周波数ホッピングパターンの第１のホップの間、前記セカンダリコンポーネントキャリアを介して前記無線ネットワークと通信させ、前記周波数チャネルのセットにおける第２の周波数チャネルを用いて、前記周波数ホッピングパターンの第２のホップの間、前記セカンダリコンポーネントキャリアを介して前記無線ネットワークと通信させる、ように前記処理回路が構成される。
【０１０９】
いくつかの実施形態では、周波数ホッピングパターンの各ホップは、システムフレーム番号（ＳＦＮ）に対する最大カウントに対応する時間より小さい期間にわたる。
【０１１０】
いくつかの実施形態では、周波数ホッピングパターンの各ホップに対する開始時刻がＳＦＮ値によって特定される。
【０１１１】
いくつかの実施形態では、第１のコンポーネントキャリア及びセカンダリコンポーネントキャリアは、無線通信装置と無線ネットワークのｅＮｏｄｅＢとの間のキャリアアグリゲーションを介した通信に用いられる。
【０１１２】
いくつかの実施形態では、非ライセンス無線周波数帯域は、５ＧＨｚの産業科学医療（ＩＳＭ）無線周波数帯域における周波数チャネルを含む。
【０１１３】
いくつかの実施形態では、周波数ホッピングパターンは、セカンダリコンポーネントキャリアに対する周波数チャネル番号又は中心周波数値と当該周波数ホッピングパターンにおける各周波数チャネルを用いる時刻とを含む。
【０１１４】
いくつかの実施形態では、無線通信装置は、当該無線通信装置に、非ライセンス無線周波数帯域における少なくとも１つの無線周波数チャネルの無線周波数干渉のレベルを測定させ、前記無線周波数干渉のレベルについての情報を無線ネットワークのｅＮｏｄｅＢへ提供させるように構成される処理回路を含む。
【０１１５】
いくつかの実施形態では、セカンダリセルのための周波数ホッピングパターンは、無線通信装置によって提供される無線周波数干渉のレベルについての情報に少なくとも部分的に基づいて、無線ネットワークのｅＮｏｄｅＢによって適合される。
【０１１６】
いくつかの実施形態では、無線通信装置は、ロングタームエボリューション（ＬＴＥ）、ロングタームエボリューションアドバンスド（ＬＴＥ−Ａ）、またはロングタームエボリューションアンライセンスド（ＬＴＥ−Ｕ）無線通信プロトコルに従って動作する。
【０１１７】
いくつかの実施形態では、非一時的コンピュータ可読媒体は実行可能な命令を記憶し、当該命令は、無線通信装置の１つ以上のプロセッサにより実行されるとき、当該無線通信装置に、ライセンスされた無線周波数帯域におけるプライマリセルのプライマリコンポーネントキャリアを用いて、前記無線通信装置と無線ネットワークとの間の接続を確立させ、非ライセンス無線周波数帯域で動作するセカンダリセルの、当該セカンダリセルにおけるセカンダリコンポーネントキャリアを介した通信のための周波数チャネルのセットと周波数ホッピングパターンとを含む設定を取得させ、前記周波数チャネルのセットにおける第１の周波数チャネルを用いて、前記周波数ホッピングパターンの第１のホップの間、前記セカンダリコンポーネントキャリアを介して前記無線ネットワークと通信させ、前記周波数チャネルのセットにおける第２の周波数チャネルを用いて、前記周波数ホッピングパターンの第２のホップの間、前記セカンダリコンポーネントキャリアを介して前記無線ネットワークと通信させる。
【０１１８】
いくつかの実施形態では、非一時的コンピュータ可読媒体は、無線通信装置の１つ以上のプロセッサにより実行されると、前記無線通信装置に、非ライセンス無線周波数帯域における少なくとも１つの無線周波数チャネルの無線周波数干渉のレベルを測定させ、前記無線周波数干渉のレベルについての情報を無線ネットワークのｅＮｏｄｅＢへ提供させる、実行可能な命令を記憶する。
【０１１９】
いくつかの実施形態では、無線通信装置による非ライセンス無線周波数（ＲＦ）帯域における周波数ホッピングに基づく共存のための装置は、ライセンスされた無線周波数帯域におけるプライマリセルのプライマリコンポーネントキャリアを用いて、前記無線通信装置と無線ネットワークとの間の接続を確立する手段と、非ライセンス無線周波数帯域で動作するセカンダリセルの、当該セカンダリセルにおけるセカンダリコンポーネントキャリアを介した通信のための周波数チャネルのセットと周波数ホッピングパターンとを含む設定を取得する手段と、前記周波数チャネルのセットにおける第１の周波数チャネルを用いて、前記周波数ホッピングパターンの第１のホップの間、前記セカンダリコンポーネントキャリアを介して前記無線ネットワークと通信する手段と、前記周波数チャネルのセットにおける第２の周波数チャネルを用いて、前記周波数ホッピングパターンの第２のホップの間、前記セカンダリコンポーネントキャリアを介して前記無線ネットワークと通信する手段と、を含む。
【０１２０】
いくつかの実施形態では、無線通信装置による非ライセンス無線周波数（ＲＦ）帯域における周波数ホッピングに基づく共存のための装置は、非ライセンス無線周波数帯域における少なくとも１つの無線周波数チャネルの無線周波数干渉のレベルを測定する手段と、前記無線周波数干渉のレベルについての情報を無線ネットワークｅＮｏｄｅＢへ提供する手段と、を含む。
【０１２１】
いくつかの実施形態では、方法は、詳細な説明においてここで実質的に説明された任意の動作又は動作の組み合わせを含む。
【０１２２】
いくつかの実施形態では、方法は、図１から図８のそれぞれ又は任意の組み合わせを参照してここで説明されたような、任意の動作又は動作の組み合わせを含む。
【０１２３】
いくつかの実施形態では、装置は、詳細な説明においてここで実質的に説明された任意の動作又は動作の組み合わせを実行するように構成される。
【０１２４】
いくつかの実施形態では、装置は、詳細な説明においてここで実質的に説明された任意の要素又は要素の組み合わせを含む。
【０１２５】
いくつかの実施形態では、非維持的コンピュータ可読媒体は、１つ以上のプロセッサにより実行されるときに、詳細な説明においてここで実質的に説明された装置による任意の動作又は動作の組み合わせの実行をさせる命令を含む。
【０１２６】
いくつかの実施形態では、集積回路は、詳細な説明においてここで実質的に説明された任意の動作又は動作の組み合わせを実行するように構成される。
【０１２７】
いくつかの実施形態では、装置は、詳細な説明においてここで実質的に説明された任意の動作又は動作の組み合わせを実行する１つ以上の手段を含む。
【０１２８】
説明された実施形態の様々な態様、実施形態、実装又は特徴は、別個に又は任意の組み合わせで用いることができる。さらに、説明された実施形態のいくつかの態様は、ソフトウェア、ハードウェア又はハードウェアとソフトウェアとの組み合わせによって実装されうる。説明された実施形態は、非一時的コンピュータ可読媒体に記憶されたコンピュータ可読コードとしても実現されうる。当該コンピュータ可読媒体は、その後コンピュータまたはコンピュータシステムによって読み出されうるデータを記憶することができる、任意のデータ記憶装置と関連付けられうる。そのコンピュータ可読媒体の例は、読み出し専用メモリ、ランダムアクセスメモリ、ＣＤ−ＲＯＭ、ソリッドステートディスク（ＳＳＤ又はフラッシュ）、ＨＤＤ、ＤＶＤ、磁気テープ、及び光データ記憶装置を含む。そのコンピュータ可読媒体は、そのコンピュータプログラムコードが分散された方法で実行されうるように、ネットワークに接続されたコンピュータシステムを介して分配されてもよい。
【０１２９】
説明のための前述の説明は、特定の用語を、説明される実施形態の完全な理解を提供するために用いた。しかしながら、当業者には、説明された実施形態を実行するためにはその特定の詳細の一部は必要でないことは明らかであろう。これらの説明は、網羅的、包括的であること、又は、説明された実施形態を、開示された厳密な形式又は詳細に限定することを意図していない。当業者には、多くの変更及び変形が、本開示の精神及び範囲から離れることなく、上述の教示を考慮して可能であることは明らかだろう。
【図１】
0006028051.tif 000002
【図２Ａ】
0006028051.tif 000003
【図２Ｂ】
0006028051.tif 000004
【図２Ｃ】
0006028051.tif 000005
【図２Ｄ】
0006028051.tif 000006
【図３Ａ】
0006028051.tif 000007
【図３Ｂ】
0006028051.tif 000008
【図３Ｃ】
0006028051.tif 000009
【図３Ｄ】
0006028051.tif 000010
【図３Ｅ】
0006028051.tif 000011
【図３Ｆ】
0006028051.tif 000012
【図３Ｇ】
0006028051.tif 000013
【図４Ａ】
0006028051.tif 000014
【図４Ｂ】
0006028051.tif 000015
【図５】
0006028051.tif 000016
【図６】
0006028051.tif 000017
【図７】
0006028051.tif 000018
【図８】
0006028051.tif 000019